(57)【特許請求の範囲】
【請求項１】
ユーザ機器（ＵＥ）によって送信された、２次アップリンク・キャリア・サービング・セルに関して前記ＵＥによって実行された状態切り替えの結果を含む状態切り替え応答メッセージを受信することと、
無線ネットワークコントローラ（ＲＮＣ）を介して前記状態切り替えの結果を２次キャリア・アクティブ集合の中の２次アップリンク・キャリア・非サービング・セルに通知することと、
を含む、アップリンク・キャリア周波数を管理する方法。
【請求項２】
前記ＵＥに前記２次アップリンク・キャリア・サービング・セルに関する状態切り替えを実行することを要求する状態切り替え要求メッセージを前記ＵＥへ送信することをさらに含む、請求項１に記載のアップリンク・キャリア周波数を管理する方法。
【請求項３】
前記状態切り替え要求メッセージは、高速共有制御チャネル（ＨＳ−ＳＣＣＨ）、拡張専用チャネル絶対許可チャネル（Ｅ−ＡＧＣＨ）、又は、拡張専用チャネル相対許可チャネル（Ｅ−ＲＧＣＨ）を介して送信される、請求項２に記載のアップリンク・キャリア周波数を管理する方法。
【請求項４】
前記２次アップリンク・キャリア・サービング・セルの状態切り替え決定指示を獲得することと、
前記状態切り替え決定指示に従って前記２次アップリンク・キャリア・サービング・セルに関する状態切り替え決定を実行することと、
をさらに含む、請求項３に記載のアップリンク・キャリア周波数を管理する方法。
【請求項５】
前記状態切り替え決定指示に従って前記２次アップリンク・キャリア・サービング・セルに関する状態切り替え決定を実行することは、
前記ＵＥのアップリンク・データの量、又は、前記２次アップリンク・キャリア・サービング・セルの現在アップリンク信号品質を獲得することと、
前記ＵＥの前記アップリンク・データの量、又は、前記２次アップリンク・キャリア・サービング・セルの前記現在アップリンク信号品質に従って、前記２次アップリンク・キャリア・サービング・セルに関する状態切り替え決定を実行することと、
を含む、請求項４に記載のアップリンク・キャリア周波数を管理する方法。
【請求項６】
前記状態切り替え応答メッセージは、高速専用物理制御チャネル（ＨＳ−ＤＰＣＣＨ）を介して送信される、請求項１〜５いずれか一項に記載のアップリンク・キャリア周波数を管理する方法。
【請求項７】
前記状態切り替えの結果は、前記２次アップリンク・キャリア・サービング・セルが起動されるか、又は、前記２次アップリンク・キャリア・サービング・セルが停止させられるかを含む、請求項１〜６いずれか一項に記載のアップリンク・キャリア周波数を管理する方法。
【請求項８】
前記２次キャリア・アクティブ集合の中の前記２次アップリンク・キャリア・非サービング・セルによって、アップリンク専用物理制御チャネル（ＤＰＣＣＨ）を検出することを停止することをさらに含む、請求項１〜７いずれか一項に記載のアップリンク・キャリア周波数を管理する方法。
【請求項９】
ユーザ機器（ＵＥ）によって送信された、２次アップリンク・キャリア・サービング・セルに関して前記ＵＥによって実行された状態切り替えの結果を含む状態切り替え応答メッセージを受信するため構成されている受信ユニットと、
無線ネットワークコントローラ（ＲＮＣ）を介して前記状態切り替えの結果を２次キャリア・アクティブ集合の中の２次アップリンク・キャリア・非サービング・セルに通知するため構成されている通知ユニットと、
を備える、アップリンク・キャリア周波数を管理する装置。
【請求項１０】
前記ＵＥに前記２次アップリンク・キャリア・サービング・セルに関する状態切り替えを実行することを要求する状態切り替え要求メッセージを前記ＵＥへ送信するため構成されている送信ユニットをさらに備える、請求項９に記載のアップリンク・キャリア周波数を管理する装置。
【請求項１１】
前記状態切り替え要求メッセージは、高速共有制御チャネル（ＨＳ−ＳＣＣＨ）、拡張専用チャネル絶対許可チャネル（Ｅ−ＡＧＣＨ）、又は、拡張専用チャネル相対許可チャネル（Ｅ−ＲＧＣＨ）を介して送信される、請求項１０に記載のアップリンク・キャリア周波数を管理する装置。
【請求項１２】
前記２次アップリンク・キャリア・サービング・セルの状態切り替え決定指示を獲得するため構成されている指示獲得ユニットと、
前記状態切り替え決定指示に従って前記２次アップリンク・キャリア・サービング・セルに関する状態切り替え決定を実行するため構成されている切り替え決定ユニットと、
をさらに備える、請求項１０に記載のアップリンク・キャリア周波数を管理する装置。
【請求項１３】
前記切り替え決定ユニットは、
前記ＵＥのアップリンク・データの量、又は、前記２次アップリンク・キャリア・サービング・セルの現在アップリンク信号品質を獲得するため構成されているパラメータ獲得サブユニットと、
前記ＵＥの前記アップリンク・データの量、又は、前記２次アップリンク・キャリア・サービング・セルの前記現在アップリンク信号品質に従って、前記２次アップリンク・キャリア・サービング・セルに関する状態切り替え決定を実行するため構成されている切り替え決定サブユニットと、
をさらに備える、請求項１２に記載のアップリンク・キャリア周波数を管理する装置。
【請求項１４】
前記状態切り替え応答メッセージは、高速専用物理制御チャネル（ＨＳ−ＤＰＣＣＨ）を介して送信される、請求項９〜１３いずれか一項に記載のアップリンク・キャリア周波数を管理する装置。
【請求項１５】
前記状態切り替えの結果は、前記２次アップリンク・キャリア・サービング・セルが起動されるか、又は、前記２次アップリンク・キャリア・サービング・セルが停止させられるかを含む、請求項９〜１４いずれか一項に記載のアップリンク・キャリア周波数を管理する装置。
【請求項１６】
基地局と無線ネットワークコントローラ（ＲＮＣ）とを備え、
前記基地局は、ユーザ機器（ＵＥ）によって送信された、２次アップリンク・キャリア・サービング・セルに関して前記ＵＥによって実行された状態切り替えの結果を含む状態切り替え応答メッセージを受信し、前記状態切り替えの結果を前記ＲＮＣへ送信するため構成され、
前記ＲＮＣは、前記状態切り替えの結果を２次キャリア・アクティブ集合の中の２次アップリンク・キャリア・非サービング・セルへ送信するため構成されている、
アップリンク・キャリア周波数を管理するシステム。
【請求項１７】
前記基地局は、前記ＵＥに前記２次アップリンク・キャリア・サービング・セルに関する状態切り替えを実行することを要求する状態切り替え要求メッセージを前記ＵＥへ送信するためさらに構成されている、請求項１６に記載のアップリンク・キャリア周波数を管理するシステム。
【請求項１８】
前記状態切り替え要求メッセージは、高速共有制御チャネル（ＨＳ−ＳＣＣＨ）、拡張専用チャネル絶対許可チャネル（Ｅ−ＡＧＣＨ）、又は、拡張専用チャネル相対許可チャネル（Ｅ−ＲＧＣＨ）を介して送信される、請求項１７に記載のアップリンク・キャリア周波数を管理するシステム。
【請求項１９】
前記基地局は、前記２次アップリンク・キャリア・サービング・セルの状態切り替え決定指示を獲得し、前記状態切り替え決定指示に従って前記２次アップリンク・キャリア・サービング・セルに関する状態切り替え決定を実行するためさらに構成されている、請求項１７に記載のアップリンク・キャリア周波数を管理するシステム。
【請求項２０】
前記基地局は、前記ＵＥのアップリンク・データの量、又は、前記２次アップリンク・キャリア・サービング・セルの現在アップリンク信号品質を獲得し、前記ＵＥの前記アップリンク・データの量、又は、前記２次アップリンク・キャリア・サービング・セルの前記現在アップリンク信号品質に従って、前記２次アップリンク・キャリア・サービング・セルに関する状態切り替え決定を実行するためさらに構成されている、請求項１９に記載のアップリンク・キャリア周波数を管理するシステム。
【請求項２１】
前記状態切り替え応答メッセージは、高速専用物理制御チャネル（ＨＳ−ＤＰＣＣＨ）を介して送信される、請求項１６〜２０いずれか一項に記載のアップリンク・キャリア周波数を管理するシステム。
【請求項２２】
前記状態切り替えの結果は、前記２次アップリンク・キャリア・サービング・セルが起動されるか、又は、前記２次アップリンク・キャリア・サービング・セルが停止させられるかを含む、請求項１６〜２１いずれか一項に記載のアップリンク・キャリア周波数を管理するシステム。
【発明の詳細な説明】
【技術分野】
【０００１】
本願は、２００９年１月２３日に出願され、名称が「ＭＥＴＨＯＤ，ＤＥＶＩＣＥ，ＡＮＤ  ＳＹＳＴＥＭ  ＦＯＲ  ＭＡＮＡＧＩＮＧ  ＵＰＬＩＮＫ  ＣＡＲＲＩＥＲ  ＦＲＥＱＵＥＮＣＩＥＳ」である中国特許出願第２００９１０００１１５０．３号と、２００９年４月２８日に出願され、名称が」ＭＥＴＨＯＤ，ＤＥＶＩＣＥ，ＡＮＤ  ＳＹＳＴＥＭ  ＦＯＲ  ＭＡＮＡＧＩＮＧ  ＵＰＬＩＮＫ  ＣＡＲＲＩＥＲ  ＦＲＥＱＵＥＮＣＩＥＳ」である第２００９１０１３７９５４．６号の優先権の利益を主張し、これらの出願は参照によって全体がそのまま本明細書に組み込まれる。
【０００２】
本発明は、通信の分野に関し、特に、アップリンク・キャリア周波数を管理する方法、装置、及びシステムに関する。
【背景技術】
【０００３】
第３世代パートナーシップ・プロジェクト（３ＧＰＰ）の技術発展では、サービスのアップリンク・データの量及びアップリンク・サービス・カバレッジを高めるため、アップリンク・マルチセル高速アップリンク・パケット・アクセス（ＨＳＵＰＡ）協調技術を導入することが検討される。すなわち、データ・アップリンク方向では、異なるキャリア周波数で動作するデータチャネルは、データを送信するため一つにまとめられ、１台のユーザ機器（ＵＥ）が複数のキャリア周波数でデータチャネルから同時にデータを受信することがある。
【０００４】
例えば、デュアルセルＨＳＵＰＡ協調は、異なるアップリンク・キャリア周波数で動作する２台のセルから同時にＵＥ及び基地局への接続を確立するので、ＵＥによって送信されたアップリンク・データは、２台のセルと確立された接続を介して同時に送信することができる。
【０００５】
しかし、従来技術は、マルチセルＨＳＵＰＡのアップリンク・キャリア周波数を管理するために具体的な実施解決策を提供していない。
【発明の概要】
【発明が解決しようとする課題】
【０００６】
マルチセルＨＳＵＰＡのアップリンク・キャリア周波数を管理するため、本発明は、アップリンク・キャリア周波数を管理する方法、装置、及びシステムを対象にする。
【課題を解決するための手段】
【０００７】
本発明の一態様は、アップリンク・キャリア周波数を管理する方法を提供する。この方法は、以下のステップを含む。
【０００８】
ＵＥによって送信された、２次アップリンク・キャリア・サービング・セルに関してＵＥによって実行された状態切り替えの結果を含む状態切り替え応答メッセージが受信される。
【０００９】
状態切り替えの結果は、無線ネットワークコントローラ（ＲＮＣ）を介して２次キャリア・アクティブ集合の中の２次アップリンク・キャリア・非サービング・セルに通知される。
【００１０】
本発明の別の態様は、アップリンク・キャリア周波数を管理する装置を提供する。この装置は、ＵＥによって送信された、２次アップリンク・キャリア・サービング・セルに関してＵＥによって実行された状態切り替えの結果を含む状態切り替え応答メッセージを受信するため構成されている受信ユニットと、ＲＮＣを介して２次キャリア・アクティブ集合の中の非２次アップリンク・キャリア・サービング・セルに状態切り替えの結果を通知する通知ユニットと、を含む。
【００１１】
本発明のさらに別の態様は、アップリンク・キャリア周波数を管理するシステムを提供する。このシステムは、基地局及びＲＮＣを含む。
【００１２】
基地局は、ＵＥによって送信された、２次アップリンク・キャリア・サービング・セルに関してＵＥによって実行された状態切り替えの結果を含む状態切り替え応答メッセージを受信し、状態切り替えの結果をＲＮＣへ送信するため構成されている。
【００１３】
ＲＮＣは、状態切り替えの結果を２次キャリア・アクティブ集合の中の２次アップリンク・キャリア・非サービング・セルへ送信するため構成されている。
【００１４】
本発明によるアップリンク・キャリア周波数を管理する方法、装置、及びシステムは、マルチセルＨＳＵＰＡのアップリンク・キャリア周波数を管理するために、基地局、ＲＮＣ、及び、２次キャリア・アクティブ集合の中の２次アップリンク・キャリア・非サービング・セルに、２次アップリンク・キャリア・サービング・セルに関してＵＥによって実行された状態切り替えの結果を知らせるため採用されることがある。
【図面の簡単な説明】
【００１５】
【図１】本発明の第１の実施形態によるアップリンク・キャリア周波数を管理する方法のフローチャートである。
【図２】本発明の第２の実施形態によるアップリンク・キャリア周波数を管理する方法のフローチャートである。
【図３】本発明の第３の実施形態によるアップリンク・キャリア周波数を管理する方法のフローチャートである。
【図４】本発明の第４の実施形態によるアップリンク・キャリア周波数を管理する方法のフローチャートである。
【図５】本発明の第５の実施形態によるアップリンク・キャリア周波数を管理する方法のフローチャートである。
【図６】本発明の第６の実施形態によるアップリンク・キャリア周波数を管理する方法のフローチャートである。
【図７】本発明の第７の実施形態によるアップリンク・キャリア周波数を管理する方法のフローチャートである。
【図８】本発明の第８の実施形態によるアップリンク・キャリア周波数を管理する方法のフローチャートである。
【図９】本発明の第９の実施形態によるアップリンク・キャリア周波数を管理する方法のフローチャートである。
【図１０】本発明の第１０の実施形態によるアップリンク・キャリア周波数を管理する方法のフローチャートである。
【図１１】本発明の実施形態によるＵＥの内部構造の概略図である。
【図１２】図１０における切り替えモジュール１００２の内部構造の概略図である。
【図１３】本発明の実施形態による基地局の内部構造の概略図である。
【図１４】図１３における切り替えモジュール１３０２の内部構造の概略図である。
【図１５】本発明の実施形態によるＲＮＣの内部構造の概略図である。
【図１６】本発明の別の実施形態によるＲＮＣの内部構造の内部構造の概略図である。
【図１７】本発明の実施形態による状態切り替えシステムの概略図である。
【図１８】本発明の別の実施形態による状態切り替えシステムの概略図である。
【図１９】本発明の別の実施形態による状態切り替えシステムの概略図である。
【発明を実施するための形態】
【００１６】
ユーザが何らかのアップリンク・センシティブ・サービス（例えば、電子メール、画像及び映像のアップロード）を使用するとき、アップリンク・キャリア周波数に対してより高い負荷を要求する大量のアップリンク・データが生成される。この際、ＵＥによってアクセスされたセルの負荷がアップリンク方向に重い場合、大量のアップリンク・データが低い効率で、かつ、時間遅延を伴って送信されることになる。その結果、ユーザ体験に影響を及ぼす。
【００１７】
アップリンク・データ量が大量である場合のデータ送信の低効率化の問題を解決するため、マルチセルＨＳＵＰＡ協調がアップリンク・データを送信するため使用されることがある。すなわち、データは、単一セルに関してデータ負荷を軽減するように、複数のアップリンク・セルの協調を通じて送信される。しかし、以下の問題、すなわち、ＵＥが大量のアップリンク・データを生成するとき、アップリンク・データを同時に送信するために複数のセルをどのように起動させるのか、ＵＥがアップリンク・データを送信するため複数のセルが必要とされないとき、複数のキャリア周波数の間の干渉を減少させるために複数のセルのうち必要とされていない一部をどのように切り離すのか、そして、起動及び停止を合理的に管理するためにＵＥによって使用されるアップリンク・セルの量をどのように動的に調整するのか、を解決する実施方法は、従来技術では提供されていない。
【００１８】
本発明の第１の実施形態は、添付図面を参照して以下に記載される。
【００１９】
第１の実施形態では、本発明は、アップリンク・セルの個数を動的に調整するためにアップリンク・キャリア周波数を管理する方法を提供する。図１に示されるように、この方法は、以下のステップを含む。
【００２０】
ステップ１０１では、２次アップリンク・キャリア・サービング・セルの状態切り替え決定指示が取得される。
【００２１】
ステップ１０２では、状態切り替えは、状態切り替え決定指示に従って少なくとも１個の２次アップリンク・キャリア・サービング・セルに関して実行される。
【００２２】
ステップ１０３では、少なくとも１個の２次アップリンク・キャリア・サービング・セルの状態は、通信反対端へ通知される。
【００２３】
本実施形態において提供されるアップリンク・キャリア周波数を管理する方法では、２次アップリンク・キャリア・サービング・セルの状態切り替え管理は、状態切り替え決定指示を通じて起動され、少なくとも１個の２次アップリンク・キャリア・サービング・セルの状態切り替えは、状態切り替え決定指示に従って実行され、少なくとも１個の２次アップリンク・キャリア・サービング・セルの状態は、通信反対端へ通知される。このようにして、アップリンク方向でのデータ送信のためのマルチセル協調を実現するメカニズムが提供され、アップリンク・キャリア周波数管理がマルチセルＨＳＵＰＡ協調を通じて実行できないという問題が解決される。
【００２４】
本発明の第２の実施形態は、添付図面を参照して以下に記載される。
【００２５】
ＵＥが大量のアップリンク・データを基地局へ送信する必要があるとき、ＵＥは、マルチセル協調を通じて複数のキャリア周波数でセルとの接続を確立することにより、１次キャリア・セル及び１個以上の２次アップリンク・キャリア・サービング・セルの上で同時にアップリンク・データを送信することがあり、その結果、送信されるアップリンク・データの帯域幅を増大させる。ＵＥがマルチセル協調を通じてアップリンク・データを送信することが必要ではないとき、使用されないセルは停止させられ、それによって、ＵＥによって使用されるセルの個数を削減し、そして、異なる周波数でセルの間の干渉を減少させる。本実施形態では、例えば、アップリンク・データを送信する際にデュアルセル協調を採用する。記載の容易さのため、デュアルセルは、それぞれ、１次アップリンク・キャリア・セル及び２次アップリンク・キャリア・サービング・セルと呼ぶ。１次アップリンク・キャリア・セルは、１次アップリンク・キャリア周波数で動作し、２次アップリンク・キャリア・サービング・セルは、２次アップリンク・キャリア周波数で動作する。同じ１次アップリンク・キャリアで動作するすべてのセルは、１個の１次アップリンク・キャリア・サービング・セルを含む１つの１次アップリンク・キャリア・セル・アクティブ集合を形成する。同じ２次アップリンク・キャリアで動作するすべてのセルは、１個の２次アップリンク・キャリア・サービング・セルを含む１つの２次アップリンク・キャリア・セル・アクティブ集合を形成する。本実施形態では、２次アップリンク・キャリア・サービング・セルは、２次キャリア・エンハンスト専用チャネル（Ｅ−ＤＣＨ）サービング・セルでもよい。図２に示されるように、本実施形態によるアップリンク・キャリア周波数を管理する方法は、以下のステップを含む。
【００２６】
ステップ２０１では、基地局が状態切り替え決定指示を受信する。
【００２７】
基地局が起動され、ネットワークに参加するとき、ＲＮＣ（無線ネットワークコントローラ）は、状態切り替え決定指示に従って測定及び判断を実行し、２次アップリンク・キャリア・サービング・セルの起動動作及び停止動作を実施することを基地局に命令する状態切り替え決定指示を基地局へ送信する。
【００２８】
このステップでは、基地局は、状態切り替え決定指示を受信する。状態切り替え決定指示は、決定制御を伝える。決定制御は、アップリンク・データ量制御、アップリンク負荷、及び、２次アップリンク・キャリア・サービング・グラント（ＳＧ）制御のような複数の決定対象を含む（アップリンク負荷及び２次アップリンク・キャリアＳＧは、アップリンク信号品質に関連する決定対象である）。決定対象の種類は、通信の分野において多数あるが、ここでは１つずつ列挙しない。決定対象は、アップリンク・データを送信するために他の２次キャリア・セルを起動させることが必要であるかどうかを判定するため使用される。決定制御は、測定時間窓（測定時間窓は、測定区間であり、ある決定対象の測定値は、測定区間内の決定対象の測定値の平均である）、起動閾値（すなわち、起動閾値は、他の２次キャリア・セルを起動させるための条件であり、起動閾値は、ユーザのアップリンク・データの量及びアップリンク信号品質標準を含み、ユーザのアップリンク・データの量が起動閾値を上回り、かつ、２次アップリンク・キャリア・サービング・セルの信号品質がアップリンク信号の品質標準に達するとき、２次アップリンク・キャリア・サービング・セルはアップリンク・データを送信するため起動させられることがある）、及び、停止閾値（すなわち、停止閾値は、２次アップリンク・キャリア・サービング・セルを停止させるための条件であり、ユーザのアップリンク・データの量及びアップリンク信号の品質標準を含み、ユーザのアップリンク・データの量が停止閾値より下であるか、又は、２次アップリンク・キャリア・サービング・セルの信号品質がアップリンク信号の品質標準に達しないとき、２次アップリンク・キャリア・サービング・セルは、停止させられることがあり、そして、２次アップリンク・キャリア・サービング・セルは、アップリンク・データを送信するため使用されない）のような複数の決定パラメータをさらに含む。
【００２９】
起動閾値及び停止閾値は、１個の同じ値でもよく、又は、２個の異なる値でもよい。起動閾値は、停止閾値より僅かに高くてもよい。データ送信量が起動閾値と停止閾値との間にあるとき、２次アップリンク・キャリア・サービング・セルの状態は、変化しない。
【００３０】
なお、本発明の他の実施形態では、２個以上の２次アップリンク・キャリア・サービング・セルがユーザのアップリンク・データを送信するため起動させられることがある。この場合、起動閾値は、複数の閾値を含むことがあり、閾値は、順々に増加する。例えば、閾値は、５Ｍ、８Ｍ及び１０Ｍである。ユーザのアップリンク・データの量は、徐々に増加する。ユーザのアップリンク・データの量が５Ｍを上回るとき、第１の２次アップリンク・キャリア・サービング・セルが起動させられる。この量が８Ｍを上回るとき、第２の２次アップリンク・キャリア・サービング・セルが起動させられる。この量が１０Ｍを上回るとき、第３の２次アップリンク・キャリア・サービング・セルが起動させられ、以下同様に続く。複数の２次アップリンク・キャリア・サービング・セルは、異なる２次アップリンク・キャリア周波数で動作する。起動閾値は、１つの閾値だけを含むこともある。この量がこの閾値を上回るとき、ＵＥが現在位置している基地局の２次キャリア周波数における他の利用可能なセルのすべては、２次アップリンク・キャリア・サービング・セルとして起動させられる。
【００３１】
複数のアップリンク起動閾値に対応して、停止閾値は、複数の閾値を含むことがある。例えば、閾値は、５Ｍ、８Ｍ及び１０Ｍである。ユーザのアップリンク・データの量は、同様に徐々に減少する。ユーザのアップリンク・データの量が１０Ｍを下回る場合、２次アップリンク・キャリア・サービング・セルは停止させられる。この量が８Ｍを下回るとき、別の２次アップリンク・キャリア・サービング・セルが停止させられ、以下同様に続く。明確に、複数のアップリンク起動閾値が存在するとき、唯一の停止閾値が使用されることも可能である。例えば、起動閾値が５Ｍ、８Ｍ及び１０Ｍであるが、５Ｍのような唯一の停止閾値が使用される。アップリンク・データの量が５Ｍを下回る場合、すべての２次アップリンク・キャリア・サービング・セルが停止させられる。
【００３２】
本実施形態によるアップリンク・キャリア周波数を管理する方法では、マルチセル協調において、２次アップリンク・キャリア・サービング・セルを起動させる原理、又は、２次アップリンク・キャリア・サービング・セルを停止させる原理は、デュアルセル協調において、２次アップリンク・キャリア・サービング・セルを起動させる原理、又は、２次アップリンク・キャリア・サービング・セルを停止させる原理と本質的に同じであり、ここでは、詳細に記載されない。
【００３３】
ステップ２０２では、基地局は、状態切り替え決定を実行し、状態切り替え要求メッセージをＵＥへ送信する。
【００３４】
このステップでは、基地局は、ステップ２０１で受信された状態切り替え決定指示に従って関連する決定対象を測定し、測定結果を決定パラメータと比較し、２次アップリンク・キャリア・サービング・セルを起動させる必要があるかどうかを判定する。
【００３５】
ＵＥは、デュアルセル・アップリンク協調起動状態にあり、すなわち、ＵＥは、同時に１次キャリア・セル及び２次アップリンク・キャリア・サービング・セルを介して基地局と接続され、アップリンク・データを送信する。１つの測定窓において、１つの制御対象の測定値が停止閾値を満たす限り、例えば、２次アップリンク・キャリア・サービング・セルによって送信されたアップリンク・データの量が非常に少ないとき、又は、２次アップリンク・キャリア・サービング・セルの信号品質が悪く、アップリンク信号の品質標準を満たすことができないとき、基地局は、２次アップリンク・キャリア・サービング・セルに関して停止操作を実行する。具体的には、２次アップリンク・キャリア・サービング・セルが使用する２次アップリンク・キャリア周波数の識別子を伝える停止要求メッセージがＵＥに送信され（この識別子は、２次アップリンク・キャリア周波数の周波数値でもよく、又は、システムによって２次アップリンク・キャリア周波数のため一意的に割り当てられた識別子でもよい）、そして、ＵＥは、２次アップリンク・キャリア・サービング・セルを経由するアップリンク・データの送信を終了するように要求される。停止要求メッセージは、ＨＳ−ＳＣＣＨ、Ｅ−ＡＧＣＨ、若しくは、Ｅ−ＲＧＣＨのような物理層チャネル上で伝送される物理層メッセージでもよく、又は、ＭＡＣ  ＰＤＵでもよい。
【００３６】
ＵＥがデュアルセル・アップリンク協調停止状態にある場合、すなわち、ＵＥは、現在、１次キャリア・セルだけを経由してアップリンク・データを送信する。１つの測定窓において、基地局は、状態切り替え決定指示の中の情報に従って、この１次キャリア・セルのキャリア周波数を除く基地局のすべての他のキャリア周波数でセルを測定する。ＵＥのアップリンク・データの量が起動閾値を上回り、２次キャリア・サービング・セルの信号品質が信号品質標準を満たす場合、セルは起動させられ、１次キャリア・セルに関するアップリンク・データの一部が送信のため２次アップリンク・キャリア・サービング・セルに割り当てられる。起動操作は、具体的に、基地局によって、起動要求メッセージをＵＥへ送信することを含む。起動要求メッセージは、選択された２次アップリンク・キャリア・サービング・セルが使用する２次アップリンク・キャリア周波数の識別子を伝える（この識別子は、２次アップリンク・キャリア周波数の周波数値でもよく、又は、システムによって２次アップリンク・キャリア周波数のため一意的に割り当てられた識別子でもよい）。起動要求メッセージは、物理層メッセージでもよく、又は、ＭＡＣ  ＰＤＵでもよい。
【００３７】
ステップ２０３では、ＵＥは、状態切り替えを実行する。
【００３８】
このステップでは、ＵＥは、ステップ２０２で受信されたメッセージに従って２次アップリンク・キャリア・サービング・セルに関して対応する状態切り替え操作を実行する。
【００３９】
ＵＥが停止要求メッセージを受信し、ＵＥが２次アップリンク・キャリア・サービング・セルが使用する、起動要求メッセージにより伝送される、２次アップリンク・キャリア周波数の識別子に従って、対応する２次アップリンク・キャリア・サービング・セルを獲得する。そして、ＵＥが２次アップリンク・キャリア・サービング・セルに関してアップリンク・データの送信を終了する場合、例えば、ＵＥは、アップリンク・データの送信を終了し、２次アップリンク・キャリア・サービング・セルに関してアップリンクＤＰＣＣＨ上の伝送を終了する。
【００４０】
ＵＥが起動要求メッセージを受信した場合、ＵＥは、２次アップリンク・キャリア・サービング・セルが使用する、起動要求メッセージにより伝送される、２次アップリンク・キャリア周波数の識別子に従って対応する２次アップリンク・キャリア・サービング・セルを獲得する。そして、ＵＥは、アップリンク・データの送信を開始し、２次アップリンク・キャリア・サービング・セルでのアップリンクＤＰＣＣＨ上での伝送を開始する。
【００４１】
ステップ２０４では、ＵＥは、状態切り替え応答メッセージを送信する。
【００４２】
このステップでは、２次アップリンク・キャリア・サービング・セルに関して状態切り替えを実行した後、ＵＥは、操作結果を基地局に通知するため基地局に状態切り替え応答メッセージを送信する。
【００４３】
ＵＥによって送信された状態切り替え応答メッセージの物理チャネルは、ＨＳ−ＤＰＣＣＨでもよく、又は、他の物理層チャネルのうちの１つでもよい。
【００４４】
ＵＥがステップ２０３で停止要求メッセージを受信した場合、２次アップリンク・キャリア・サービング・セルに関して停止操作を実行した後、ＵＥは、停止応答メッセージを基地局に送信する。
【００４５】
ＵＥがステップ２０３で起動要求メッセージを受信した場合、２次アップリンク・キャリア・セルに関して起動操作を実行した後、ＵＥは、起動応答メッセージを基地局に送信する。
【００４６】
ステップ２０５では、基地局は、２次アップリンク・キャリア・サービング・セルの状態をＲＮＣに通知する。
【００４７】
このステップでは、基地局は、ステップ２０４で受信された状態切り替え応答に従って状態通知メッセージをＲＮＣに送信する。この状態通知メッセージは、２次アップリンク・キャリア・サービング・セルの状態を伝える。
【００４８】
ステップ２０６では、ＲＮＣは、２次アップリンク・キャリア・サービング・セルの状態変化について知らされていない２次キャリア・アクティブ集合の中の他のセルに２次アップリンク・キャリア・サービング・セルの状態を転送する。
【００４９】
基地局の同じキャリア周波数で動作するすべてのセルがアクティブ集合を形成する。２次キャリア・アクティブ集合は、２次アップリンク・キャリア周波数で動作し、ＵＥと接続されているセルの集合である。ＲＮＣは、制御メッセージをＵＥに配信する。制御メッセージは、複数のセルの識別子を伝え、測定がこれらのセルで実行されるべきであることを指示する。測定を完了した後、ＵＥは、測定結果をＲＮＣに報告する。この結果に従って、ＲＮＣは、どのセルがＵＥの２次キャリア・アクティブ集合に加わってもよいかを判断し、２次アップリンク・キャリア・サービング・セルとして最適信号品質をもつセルを選択する。ＲＮＣは、２次キャリア・アクティブ集合をＵＥに通知する。具体的には、ＲＮＣは、２次キャリア・アクティブ集合の２次アップリンク・キャリア周波数と、２次キャリア・アクティブ集合に含まれるセルとをＵＥに通知する。ＵＥが２次アップリンク・キャリア・セルを経由して基地局との接続を確立するとき、ＵＥは、実際には２次キャリア・アクティブ集合の中のすべてのセルとの接続を確立する。２次キャリア・アクティブ集合の中のすべてのアップリンク・セルは、アップリンク・データを有するか、又は、アップリンクＤＰＣＣＨの同期制御信号を有することがある。２次アップリンク・キャリア・サービング・セルが停止させられた後、ＵＥは、２次キャリア・アクティブ集合の中のすべてのセルでアップリンクＤＰＣＣＨの伝送を終了する。２次キャリア・アクティブ集合の中のすべてのセルが同期し、ＤＰＣＣＨの信号は検出されないとき、セルとＵＥとの間のリンク同期は失敗したと考えられる。リンク同期の失敗は、ネットワーク側にワイヤレスリンクを開放させ、これを通じて、セルがＵＥと接続される。このように、セルは、１次キャリア・セルのアップリンク・データを共有するために２次アップリンク・キャリア・サービング・セルとしての役目を果たすことができない。
【００５０】
上記問題を解決するため、このステップでは、ＲＮＣは、２次アップリンク・キャリア周波数の状態を２次アップリンク・キャリア・アクティブ集合の中の２次アップリンク・キャリア・サービング・セルを除くすべてのセルに通知するための状態通知メッセージを送信する。２次アップリンク・キャリア・サービング・セルの状態が起動状態から停止状態に切り替えられる場合、２次アップリンク・キャリア・サービング・セルの現在の状態を獲得した後、２次キャリア・アクティブ集合の中のすべてのセルは、アップリンクＤＰＣＣＨの検出を終了する。このように、ＵＥは、２次キャリア・アクティブ集合の中のセルから完全には切り離されず、そして、２次キャリア・アクティブ集合の中の２次アップリンク・キャリア・サービング・セルを除く他のセルが起動操作を実行するために引き続き選択されることがある。
【００５１】
このステップは、随意的である。２次アップリンク・キャリア・サービング・セルが停止させられ、ＲＮＣが２次アップリンク・キャリア・サービング・セルは停止させられていることを示す情報を２次キャリア・アクティブ集合の中の２次アップリンク・キャリア・サービング・セルを除く他のセルに通知しない場合、２次キャリア・アクティブ集合の中の１つのセルは、リンク同期が失敗したことを検出したとき、無線リンク失敗をＲＮＣに報告する。しかし、ＲＮＣは、２次アップリンク・キャリア・サービング・セルの状態を知っているので、ＲＮＣは、受信した無線リンク失敗に応答しない。これにより、対応するリンクが削除されず、その結果、ＵＥと２次キャリア・アクティブ集合の中のセルとの間のワイヤレスリンクは同様に維持される。
【００５２】
本発明の本実施形態によるアップリンク・キャリア周波数を管理する方法では、状態切り替え決定指示は、ＲＮＣを経由して配信される。基地局は、状態切り替え決定指示に従って測定及び判断を実行する。基地局は、測定結果に従って適当な２次アップリンク・キャリア・サービング・セルを判定し、デュアルセル・アップリンク協調が必要とされるときに２次アップリンク・キャリア・サービング・セルに関する起動操作を実行することをＵＥに命令し、そして、基地局は、２次アップリンク・キャリア・サービング・セルがデータの送信を補助する必要がないときに２次アップリンク・キャリア・サービング・セルに関する停止操作を実行することをＵＥに命令する。このように、デュアルセル・アップリンク協調モードでは、２次アップリンク・キャリア・サービング・セルは、柔軟に管理され、マルチセルＨＳＵＰＡ協調がアップリンク・データを送信するために使用される。さらに、操作が完了した後、２次アップリンク・キャリア・サービング・セルの状態がＲＮＣに通知され、ＲＮＣは、２次アップリンク・キャリア・サービング・セルの状態を２次キャリア・アクティブ集合の中の２次アップリンク・キャリア・サービング・セルを除く他のセルに通知する。その結果、セル状態の同期が達成され、ＲＮＣによって処理されるデータの量が削減され、有効リンクが維持され、そして、ネットワーク資源が節約され、基地局がアップリンク・データ情報を取得するため測定及び判断を完了するのに要する時間は短く、システムの効率が高い。
【００５３】
本発明の第３の実施形態は、添付図面を参照して以下に記載される。
【００５４】
図３に示されるように、本実施形態によるアップリンク・キャリア周波数を管理する方法は、以下のステップを含む。
【００５５】
ステップ３０１では、基地局は、状態切り替え決定指示を受信する。
【００５６】
基地局が起動され、ネットワークに加わるとき、ＲＮＣは、状態切り替え決定指示に従って測定及び判断を実行することと、２次アップリンク・キャリア・サービング・セルの起動操作及び停止操作を実施することとを基地局に命令する状態切り替え決定指示を基地局に送信する。本実施形態における２次アップリンク・キャリア・サービング・セルは、具体的には、２次キャリアＥ−ＤＣＨサービング・セルのことを指す。
【００５７】
本ステップでは、基地局は、状態切り替え決定指示を受信する。状態切り替え決定指示は、決定制御を伝える。決定制御は、図２に示された実施形態に記載される通りであり、ここでは詳細に記載されない。
【００５８】
ステップ３０２では、基地局は、状態切り替え決定を実行し、状態切り替え要求メッセージをＲＮＣに送信する。
【００５９】
このステップでは、基地局は、ステップ３０１で受信された状態切り替え決定指示に従って状態切り替え決定を実行する。基地局が状態切り替え決定を実行する具体的なプロセスは、図２に示された実施形態に記載される通りであり、ここでは詳細に記載されない。
【００６０】
基地局が２次アップリンク・キャリア・サービング・セルに関して停止操作を実行することを決定した場合、停止要求メッセージがＲＮＣへ送信される。停止要求メッセージは、２次アップリンク・キャリア・サービング・セルが使用する２次アップリンク・キャリア周波数の識別子を伝える（この識別子は、２次アップリンク・キャリア周波数の周波数値でもよく、又は、システムによってこの２次アップリンク・キャリア周波数のため一意的に割り当てられた識別子でもよい）。停止要求メッセージは、無線資源制御（ＲＲＣ）プロトコルメッセージでもよい。
【００６１】
基地局が２次キャリア・サービング・セルに関して起動操作を実行することを決定した場合、起動要求メッセージがＲＮＣへ送信される。起動要求メッセージは、選択された２次アップリンク・キャリア・サービング・セルが使用する２次アップリンク・キャリア周波数の識別子を伝える（この識別子は、２次アップリンク・キャリア周波数の周波数値でもよく、又は、システムによってこの２次アップリンク・キャリア周波数のため一意的に割り当てられた識別子でもよい）。起動要求メッセージは、物理層メッセージ、又は、ＭＡＣ  ＰＤＵでもよい。
【００６２】
ステップ３０３では、ＲＮＣは、状態切り替え要求メッセージをＵＥへ転送する。
【００６３】
このステップでは、ＲＮＣは、ＲＲＣメッセージを用いて、起動要求メッセージ又は停止要求メッセージを関連したＵＥに転送する。
【００６４】
ステップ３０４では、ＵＥは状態切り替えを実行する。
【００６５】
このステップでは、ＵＥは、ステップ３０３で受信されたメッセージに従って、２次アップリンク・キャリア・サービング・セルに関して対応する状態切り替え操作を実行する。ＵＥは、図２に示された実施形態に記載された具体的なプロセスを用いて状態切り替え操作を実行し、この具体的なプロセスは、ここで詳細に記載されない。
【００６６】
ステップ３０５では、ＵＥは、状態切り替え応答メッセージを送信する。
【００６７】
このステップでは、２次アップリンク・キャリア・サービング・セルに関する状態切り替え操作を実行した後、ＵＥは、操作結果をＲＮＣへ通知するために状態切り替え応答メッセージをＲＮＣに送信する。
【００６８】
ＵＥによって送信された状態切り替え応答メッセージは、ＲＲＣメッセージの中に含まれる。
【００６９】
ＵＥがステップ３０４で停止要求メッセージを受信した場合、２次アップリンク・キャリア・サービング・セルに関する停止操作を実行した後、ＵＥは、停止応答メッセージをＲＮＣに送信する。
【００７０】
ＵＥがステップ３０４で起動要求メッセージを受信した場合、２次アップリンク・キャリア・サービング・セルに関する起動操作を実行した後、ＵＥは、起動応答メッセージをＲＮＣに送信する。
【００７１】
ステップ３０６では、ＲＮＣは、２次アップリンク・キャリア・サービング・セルの状態を２次キャリア・アクティブ集合の中で２次アップリンク・キャリア・サービング・セルが変更したメッセージを知らない他のセルに転送する。
【００７２】
このステップは、随意的なステップである。状態通知メッセージを受信した後、基地局は、２次キャリア・アクティブ集合の中のすべての他のセルへ状態通知メッセージを転送する。
【００７３】
ＵＥが２次アップリンク・キャリア・サービング・セルに関する停止操作を実行した場合、２次キャリア・アクティブ集合の中のすべてのセルは、アップリンクＤＰＣＣＨの同期検出を終了する。ＵＥが２次アップリンク・キャリア・サービング・セルに関する起動操作を実行した場合、２次キャリア・アクティブ集合の中のすべてのセルは、ＤＰＣＣＨの同期検出を開始する。
【００７４】
このステップは、ＵＥと２次キャリア・アクティブ集合の中のセルとの間のワイヤレスリンクが維持されることと、リンク失敗によって引き起こされた無線リンク失敗がＲＮＣへ報告されないことを確実にする。
【００７５】
このステップは、随意的なステップである。２次アップリンク・キャリア・サービング・セルが停止させられた後、ＲＮＣが２次キャリア・アクティブ集合の中の２次アップリンク・キャリア・サービング・セルを除く他のセルに通知しない場合、２次キャリア・アクティブ集合の中のセルは、同期が失敗したことを検出したとき、無線リンク失敗をＲＮＣに報告する。しかし、ＲＮＣは、２次アップリンク・キャリア・サービング・セルの状態を知っているので、ＲＮＣは、受信した無線リンク失敗に応答せず、すなわち、対応するリンクは削除されないので、ＵＥと２次キャリア・アクティブ集合の中のセルとの間のワイヤレスリンクも同様に維持される。
【００７６】
本実施形態によるアップリンク・キャリア周波数を管理する方法では、状態切り替え決定指示は、ＲＮＣによって配信される。基地局は、状態切り替え決定指示に従って測定及び判断を実行する。基地局は、測定結果に従って適当な２次アップリンク・キャリア・サービング・セルを選択し、デュアルセル・アップリンク協調が必要とされるときに、このセルに関する起動操作を実行することをＵＥに命令し、そして、基地局は、２次アップリンク・キャリア・サービング・セルがデータの送信を支援する必要がないときに、２次アップリンク・キャリア・サービング・セルに関する停止操作を実行することをＵＥに命令する。このように、デュアルセル・アップリンク協調モードでは、２次アップリンク・キャリア・サービング・セルは、柔軟に管理され、マルチセルＨＳＵＰＡ協調は、アップリンク・データを送信するため使用される。さらに、操作が完了した後、２次アップリンク・キャリア・サービング・セルの状態がＲＮＣに通知され、ＲＮＣは、２次アップリンク・キャリア・サービング・セルの状態を２次キャリア・アクティブ集合の中の２次アップリンク・キャリア・サービング・セルを除くすべてのセルに通知する。したがって、セル状態の同期が達成され、ＲＮＣによって処理されるデータの量が削減され、有効リンクが維持され、ネットワーク資源が節約され、基地局がアップリンク・データ情報を取得するため測定及び判断を完了するのに要する時間は短く、システム効率の効率が高い。
【００７７】
本発明の第４の実施形態は、添付図面を参照して以下に記載される。
【００７８】
図４に示されるように、本実施形態によるアップリンク・キャリア周波数を管理する方法は、以下のステップを含む。
【００７９】
ステップ４０１では、ＵＥは、状態切り替え決定指示を受信する。
【００８０】
ＵＥが基地局を介してネットワークに加わるとき、ＲＮＣは、状態切り替え決定指示に従って測定及び判断を実行し、２次アップリンク・キャリア・サービング・セルの起動操作及び停止操作を実施することをＵＥに命令する状態切り替え決定指示をＵＥに送信する。本実施形態における２次アップリンク・キャリア・サービング・セルは、具体的には、２次キャリアＥ−ＤＣＨセルのことを指す。
【００８１】
このステップでは、ＵＥは、状態切り替え決定指示を受信する。状態切り替え決定指示は、決定制御を有する。決定制御は、図２に示された実施形態に記載された通りであり、ここでは詳細に記載されない。
【００８２】
ステップ４０２では、ＵＥは、状態切り替え決定を実行する。
【００８３】
このステップでは、ＵＥは、ステップ４０１で受信された状態切り替え決定指示に従って関連した決定対象を測定し、２次アップリンク・キャリア・サービング・セルを起動させることが必要であるかどうかを判定するために測定結果を決定パラメータと比較する。ＵＥが状態切り替え決定を実行する具体的なプロセスは、図２に示された実施形態に記載された基地局が状態切り替え決定を実行するプロセスに類似し、ここでは詳細に記載されない。
【００８４】
ＵＥが２次アップリンク・キャリア・サービング・セルに関する停止操作を実行することを決定した場合、２次アップリンク・キャリア・サービング・セルが使用する２次アップリンク・キャリア周波数の識別子を伝える停止要求メッセージ（この識別子は、２次アップリンク・キャリア周波数の周波数値でもよく、又は、システムによって２次アップリンク・キャリア周波数に一意的に割り当てられた識別子でもよい）が基地局に送信される。ＵＥがこの２次アップリンク・キャリア・サービング・セルを経由してアップリンク・データを送信することを終了することを許可する。停止要求メッセージは、Ｅ−ＤＰＣＣＨのような物理層メッセージ、若しくは、他の物理層チャネルでもよく、又は、ＭＡＣ  ＰＤＵでもよい。
【００８５】
ＵＥが２次アップリンク・キャリア・サービング・セルに関する起動操作を実行することを決定した場合、起動要求メッセージが基地局に送信される。起動要求メッセージは、選択された２次アップリンク・キャリア・サービング・セルが使用する２次アップリンク・キャリア周波数の識別子を伝える（この識別子は、２次アップリンク・キャリア周波数の周波数値でもよく、又は、システムによって２次アップリンク・キャリア周波数に一意的に割り当てられた識別子でもよい）。起動要求メッセージは、物理層メッセージでもよく、又は、ＭＡＣ  ＰＤＵでもよい。
【００８６】
ステップ４０３では、基地局は、状態切り替え応答をＵＥへ送信する。
【００８７】
このステップでは、状態切り替え応答は、物理チャネル、例えば、Ｅ−ＨＩＣＨ、Ｅ−ＲＧＣＨ、Ｅ−ＡＧＣＨ、又は、他の物理層チャネルで伝送されることがある。
【００８８】
ステップ４０４では、ＵＥは、状態切り替えを実行する。
【００８９】
このステップでは、ステップ４０２における決定結果に従って、状態切り替え応答を受信した後、ＵＥは、２次アップリンク・キャリア・サービング・セルに関して対応する状態切り替え操作を実行する。
【００９０】
ＵＥが停止要求メッセージの応答を受信した場合、ＵＥは、停止要求メッセージの中に含まれ、２次アップリンク・キャリア・サービング・セルが使用する２次アップリンク・キャリア周波数の識別子に従って、対応する２次アップリンク・キャリア・サービング・セルを獲得する。そして、ＵＥは、２次アップリンク・キャリア・サービング・セルに関してアップリンク・データを送信することを終了する。すなわち、例えば、２次アップリンク・キャリア・サービング・セルに関してアップリンク・データを送信することを停止し、アップリンクＤＰＣＣＨ上での伝送を停止する。
【００９１】
ＵＥが起動要求メッセージの応答を受信した場合、ＵＥは、起動要求メッセージの中に含まれ、２次アップリンク・キャリア・サービング・セルが使用する２次アップリンク・キャリア周波数の識別子に従って、対応する２次アップリンク・キャリア・サービング・セルを獲得する。そして、ＵＥは、２次アップリンク・キャリア・サービング・セルに関してアップリンク・データを送信することを開始し、アップリンクＤＰＣＣＨ上での伝送を開始する。
【００９２】
ステップ４０５では、基地局は、２次アップリンク・キャリア・サービング・セルの状態をＲＮＣに通知する。
【００９３】
このステップでは、基地局は、状態通知メッセージをＲＮＣへ送信する。状態通知メッセージは、２次アップリンク・キャリア・サービング・セルの状態を伝える。
【００９４】
ステップ４０６では、ＲＮＣは、２次アップリンク・キャリア・サービング・セルの状態を２次キャリア・アクティブ集合の中で２次アップリンク・キャリア・サービング・セルの状態が変化したことを知らない他のセルに転送する。
【００９５】
ＵＥが２次アップリンク・キャリア・サービング・セルを経由して基地局との接続を確立したとき、ＵＥは、実際には、２次キャリア・アクティブ集合の中のすべてのセルとの接続を確立する。ＵＥは、２次アップリンク・キャリア・サービング・セルとして最適信号品質をもつセルだけを選択し、２次キャリア・アクティブ集合の中のすべてのアップリンク・セルを介してアップリンク・データを送信する。しかし、基地局は、２次アップリンク・キャリア・サービング・セルを介して送信されたアップリンク・データだけを受信する。リンク検出は、２次キャリア・アクティブ集合の中のすべてのセルに関して実行される。具体的には、アップリンクＤＰＣＣＨを同期的に検出する。基地局がある一定のリンクが切り離されていることを検出したとき、基地局は、このリンクが切り離されていることを示すために、無線リンク失敗をＲＮＣへ送信する。
【００９６】
ＵＥが２次アップリンク・キャリア・サービング・セルを停止させるとき、２次キャリア・アクティブ集合のセルと接続されているアップリンクＤＰＣＣＨは、これ以上検出されない。ＵＥは、２次キャリア・アクティブ集合の中のセルから完全には切り離されないので、他のセルが起動操作を実行するため引き続いて選択されることがある。
【００９７】
このステップは、随意的なステップである。状態通知メッセージを受信した後、基地局は、状態通知メッセージを２次キャリア・アクティブ集合のすべての他のセルへ転送する。
【００９８】
ＵＥが２次アップリンク・キャリア・サービング・セルに関する停止操作を実行した場合、２次キャリア・アクティブ集合の中のすべてのセルは、アップリンクＤＰＣＣＨの同期検出を終了する。ＵＥが２次アップリンク・キャリア・サービング・セルに関する起動操作を実行した場合、２次キャリア・アクティブ集合の中のすべてのセルは、ＤＰＣＣＨの同期検出を開始する。
【００９９】
このステップは、ＵＥと２次キャリア・アクティブ集合の中のセルとの間のワイヤレスリンクが維持され、そして、リンク失敗によって引き起こされた無線リンク失敗がＲＮＣに報告されないことを確実にする。
【０１００】
このステップは、随意的なステップである。２次アップリンク・キャリア・サービング・セルが停止させられた後、ＲＮＣが２次キャリア・アクティブ集合の中のこの２次アップリンク・キャリア・サービング・セルを除く他のセルに通知しない場合、２次キャリア・アクティブ集合の中のセルは、同期が失敗したことを検出したとき、無線リンク失敗をＲＮＣに報告する。しかし、ＲＮＣは、２次アップリンク・キャリア・サービング・セルの状態を知っているので、ＲＮＣは、受信した無線リンク失敗に応答することなく、すなわち、対応するリンクは削除されないので、ＵＥと２次キャリア・アクティブ集合の中のセルとの間のワイヤレスリンクは、維持される。
【０１０１】
本実施形態によるアップリンク・キャリア周波数を管理する方法では、状態切り替え決定指示がＲＮＣによって配信される。ＵＥは、状態切り替え決定指示に従って測定及び判断を実行する。ＵＥは、測定結果に従って適当な２次アップリンク・キャリア・サービング・セルを選択し、デュアルセル・アップリンク協調が必要とされるとき、このセルに関する起動操作を実行する。２次アップリンク・キャリア・サービング・セルがデータの送信を補助する必要がないとき、ＵＥは２次アップリンク・キャリア・サービング・セルに関する停止操作を実行する。このように、デュアルセル・アップリンク協調モードでは、２次アップリンク・キャリア・サービング・セルは、柔軟に管理され、マルチセルＨＳＵＰＡ協調がアップリンク・データを送信するため使用できないという問題が解決される。さらに、基地局がＵＥに状態切り替え操作を実行することを指示した後、基地局は、２次アップリンク・キャリア・サービング・セルの状態をＲＮＣに通知し、ＲＮＣは、２次アップリンク・キャリア・サービング・セルの状態を２次キャリア・アクティブ集合の中で２次アップリンク・キャリア・サービング・セルを除く他のセルに通知する。その結果、セル状態の同期が達成され、ＲＮＣによって処理されるデータの量は削減され、有効リンクが維持され、ネットワーク資源が節約され、ＵＥがアップリンク情報を取得するために測定及び判断を完了するために要する時間は短く、システム効率は高い。
【０１０２】
本発明の第５の実施形態は、添付図面を参照して以下に記載される。
【０１０３】
図５に示されるように、本実施形態によるアップリンク・キャリア周波数を管理する方法は、以下のステップを含む。
【０１０４】
ステップ５０１では、ＵＥは、状態切り替え決定指示を受信する。
【０１０５】
ＵＥが基地局を介してネットワークに加わるとき、ＲＮＣは、状態切り替え決定指示に従って測定及び判断を実行し、２次アップリンク・キャリア・サービング・セルの起動操作及び停止操作を実施することをＵＥに命令する状態切り替え決定指示をＵＥに送信する。本発明の本実施形態における２次アップリンク・キャリア・サービング・セルは、具体的には、２次キャリアＥ−ＤＣＨセルのことを指す。
【０１０６】
このステップでは、基地局は、状態切り替え決定指示を受信する。状態切り替え決定指示は、決定制御を伝える。決定制御は、図２に示された実施形態に記載された通りであり、ここでは詳細に記載されない。
【０１０７】
ステップ５０２では、ＵＥは、状態切り替え決定を実行し、状態切り替え要求メッセージをＲＮＣに送信する。
【０１０８】
このステップでは、ＵＥは、ステップ４０１で受信された状態切り替え決定指示に従って関連した決定対象を測定し、２次アップリンク・キャリア・サービング・セルを起動させることが必要であるかどうかを判定するために測定結果を決定パラメータと比較する。このステップでは、ＵＥが状態切り替え決定を実行する具体的なプロセスは、図２に示された実施形態に記載された基地局が状態切り替え決定を実行するプロセスに類似し、ここでは詳細に記載されない。
【０１０９】
ＵＥが２次アップリンク・キャリア・サービング・セルに関する停止操作を実行することを決定した場合、２次アップリンク・キャリア・サービング・セルが使用する２次アップリンク・キャリア周波数の識別子を伝える停止要求メッセージ（この識別子は、２次アップリンク・キャリア周波数の周波数値でもよく、又は、システムによって２次アップリンク・キャリア周波数に一意的に割り当てられた識別子でもよい）がＲＮＣに送信され、ＵＥがこの２次アップリンク・キャリア・サービング・セルを経由してアップリンク・データを送信することを終了することを許可する。停止要求メッセージは、ＲＲＣメッセージの中に含まれてもよく、又は、ＭＡＣ  ＰＤＵの中に含まれてもよい。
【０１１０】
ＵＥが２次アップリンク・キャリア・サービング・セルに関する起動操作を実行することを決定した場合、起動要求メッセージがＲＮＣに送信される。起動要求メッセージは、選択された２次アップリンク・キャリア・サービング・セルが使用する２次アップリンク・キャリア周波数の識別子を伝える（この識別子は、２次アップリンク・キャリア周波数の周波数値でもよく、又は、システムによって２次アップリンク・キャリア周波数に割り当てられた一意の識別子でもよい）。起動要求メッセージは、物理層メッセージでもよく、又は、ＭＡＣ  ＰＤＵでもよい。
【０１１１】
ステップ５０３では、ＲＮＣは、状態切り替え応答メッセージを基地局へ転送する。
【０１１２】
このステップでは、ＲＮＣは、ステップ５０２で受信された起動要求メッセージ又は停止要求メッセージを基地局へ転送する。
【０１１３】
代替的に、ＲＮＣは、２次アップリンク・キャリア・サービング・セルに関して状態切り替えを実行するようにＵＥを促すため状態切り替え応答メッセージをＵＥへ直接的に送信してもよい。
【０１１４】
ステップ５０４では、基地局は、物理層メッセージを介して状態切り替え応答メッセージをＵＥに送信する。
【０１１５】
ステップ５０５では、ＵＥは、状態切り替えを実行する。
【０１１６】
このステップでは、ＵＥは、ステップ５０２における決定結果に従って、状態切り替え応答を受信した後、２次アップリンク・キャリア・サービング・セルに関して対応する状態切り替え操作を実行する。
【０１１７】
ＵＥが停止要求メッセージの応答を受信した場合、ＵＥは、２次アップリンク・キャリア・サービング・セルに関してアップリンク・データを送信することを終了する。すなわち、例えば、２次アップリンク・キャリア・サービング・セルに関してアップリンク・データを送信することを停止し、アップリンクＤＰＣＣＨ上での伝送を停止する。
【０１１８】
ＵＥが起動要求メッセージの応答を受信した場合、ＵＥは、起動要求メッセージの中に含まれる２次アップリンク・キャリア識別子に従って、２次アップリンク・キャリア・サービング・セルに関してアップリンク・データを送信することを開始し、アップリンクＤＰＣＣＨ上での伝送を開始する。
【０１１９】
ステップ５０６では、ＲＮＣは、２次アップリンク・キャリア・サービング・セルの状態を２次キャリア・アクティブ集合の中のすべてのセルに転送する。
【０１２０】
ＵＥが２次アップリンク・キャリア・サービング・セルを経由して基地局との接続を確立したとき、ＵＥは、実際には、２次キャリア・アクティブ集合の中のすべてのセルとの接続を確立する。ＵＥは、２次アップリンク・キャリア・サービング・セルとして最適信号品質をもつセルだけを選択し、２次キャリア・アクティブ集合の中のすべてのアップリンク・セルを介してアップリンク・データを送信する。しかし、基地局は、２次アップリンク・キャリア・サービング・セルを介して送信されたアップリンク・データだけを受信する。リンク検出は、２次キャリア・アクティブ集合の中のすべてのセルに関して実行され、具体的には、アップリンクＤＰＣＣＨを同期的に検出する。基地局がある一定のリンクの同期が失敗していることを検出したとき、基地局は、同期が失敗していることを示すために、無線リンク失敗をＲＮＣへ送信する。
【０１２１】
ＵＥが２次アップリンク・キャリア・サービング・セルを停止させるとき、２次キャリア・アクティブ集合のセルと接続されているアップリンクＤＰＣＣＨは、これ以上検出されない。ＵＥは、２次キャリア・アクティブ集合の中のセルから完全には切り離されないので、他のセルが起動操作を実行するため引き続いて選択されることがある。
【０１２２】
状態通知メッセージを受信した後、基地局は、状態通知メッセージを２次キャリア・アクティブ集合の中のすべての他のセルに転送する。
【０１２３】
ＵＥが２次アップリンク・キャリア・サービング・セルに関する停止操作を実行した場合、２次キャリア・アクティブ集合の中のすべてのセルは、アップリンクＤＰＣＣＨの同期検出を終了する。ＵＥが２次アップリンク・キャリア・サービング・セルに関する起動操作を実行した場合、２次キャリア・アクティブ集合の中のすべてのセルは、ＤＰＣＣＨの同期検出を開始する。
【０１２４】
このステップは、ＵＥと２次キャリア・アクティブ集合の中のセルとの間のワイヤレスリンクが維持され、そして、リンク失敗によって引き起こされた無線リンク失敗がＲＮＣに報告されないことを確実にする。
【０１２５】
このステップは、随意的なステップである。２次アップリンク・キャリア・サービング・セルが停止させられ、ＲＮＣが２次アップリンク・キャリア・サービング・セルが停止させられたことを示す情報を２次キャリア・アクティブ集合の中のこの２次アップリンク・キャリア・サービング・セルを除く他のセルに通知しない場合、２次キャリア・アクティブ集合の中のセルは、同期が失敗したことを検出したとき、無線リンク失敗をＲＮＣに報告する。しかし、ＲＮＣは、２次アップリンク・キャリア・サービング・セルの状態を知っているので、受信された無線リンク失敗は廃棄される。すなわち、対応するリンクは削除されないので、ＵＥと２次キャリア・アクティブ集合の中のセルとの間のワイヤレスリンクは同様に維持される。
【０１２６】
本実施形態によるアップリンク・キャリア周波数を管理する方法では、状態切り替え決定指示がＲＮＣによって配信される。ＵＥは、状態切り替え決定指示に従って測定及び判断を実行する。ＵＥは、測定結果に従って適当な２次アップリンク・キャリア・サービング・セルを選択し、デュアルセル・アップリンク協調が必要とされるとき、このセルに関する起動操作を実行し、２次アップリンク・キャリア・サービング・セルがデータの送信を補助する必要がないとき、ＵＥは２次アップリンク・キャリア・サービング・セルに関する停止操作を実行する。このように、デュアルセル・アップリンク協調モードでは、２次アップリンク・キャリア・サービング・セルは、柔軟に管理され、マルチセルＨＳＵＰＡ協調がアップリンク・データを送信するため使用できないという問題が解決される。さらに、基地局がＵＥに状態切り替え操作を実行することを指示した後、基地局は、２次アップリンク・キャリア・サービング・セルの状態をＲＮＣに通知し、ＲＮＣは、２次アップリンク・キャリア・サービング・セルの状態を２次キャリア・アクティブ集合の中で２次アップリンク・キャリア・サービング・セルを除く他のセルに通知する。その結果、セル状態の同期が達成され、ＲＮＣによって処理されるデータの量は削減され、有効リンクが維持され、ネットワーク資源が節約され、ＵＥがアップリンク情報を取得するために測定及び判断を完了するために要する時間は短く、システムの効率は高い。
【０１２７】
本発明の第６の実施形態は、添付図面を参照して以下に記載される。
【０１２８】
図６に示されるように、本実施形態によるアップリンク・キャリア周波数を管理する方法は、以下のステップを含む。
【０１２９】
ステップ６０１では、ＵＥは、状態切り替え決定指示を受信する。
【０１３０】
ＵＥが基地局を介してネットワークに加わるとき、ＲＮＣは、状態切り替え決定指示に従って測定及び判断を実行し、２次アップリンク・キャリア・サービング・セルの起動操作及び停止操作を実施することをＵＥに命令する状態切り替え決定指示をＵＥに送信する。本実施形態における２次アップリンク・キャリア・サービング・セルは、２次キャリアＥ−ＤＣＨセルである。
【０１３１】
本発明の実施形態では、状態切り替え決定指示は、具体的には、測定制御メッセージのことを指す。このステップでは、ＵＥは、測定制御を受信する。測定制御は、ＵＥアップリンク送信電力の測定量、２次キャリア・アップリンク・ワイヤレス信号品質の測定量、および、ＵＥによって送信されるべきアップリンク・データの量の測定量等、複数の測定対象を伝える。測定制御は、測定時間窓と、事象報告閾値と、報告周期とのようなパラメータをさらに含むことがある。測定制御中の測定対象は、互いに独立している。携帯電話機に送信されるべき測定対象の種類は、ネットワーク側によって判定される。決定制御の具体的な内容は、図２に示された実施形態で記載された通りであり、ここでは詳細に記載されない。
【０１３２】
ステップ６０２では、ＵＥは、測定報告をＲＮＣへ送信する。
【０１３３】
このステップでは、ＵＥは、ステップ６０１で受信された測定制御に従って測定を実行し、測定結果に基づいて測定報告を生成し、測定報告をＲＮＣへ送信する。
【０１３４】
ステップ６０３では、ＲＮＣは、状態切り替え決定を実行する。
【０１３５】
このステップでは、ＲＮＣは、起動又は停止が実行されるべきかどうかを判断する決定パラメータを記憶する。このステップでは、ステップ６０２で受信された測定報告に従って、ＲＮＣは、２次アップリンク・キャリア・サービング・セルを起動する必要があるかどうかを判定するため、測定結果を決定パラメータと比較する。
【０１３６】
ＵＥがデュアルセル・アップリンク協調起動状態にある場合、すなわち、ＵＥは、アップリンク・データを送信するため同時に１次キャリア・セル及び２次アップリンク・キャリア・サービング・セルを経由して基地局と接続されている。１つの測定窓では、１つの制御対象の測定値が停止閾値を満たす限り、例えば、２次アップリンク・キャリア・サービング・セルによって送信されたアップリンク・データの量が非常に少ないとき、又は、２次アップリンク・キャリア・サービング・セルの信号品質が悪く、アップリンク信号の品質標準を満たし得ないとき、ＲＮＣは、２次アップリンク・キャリア・サービング・セルが使用する２次アップリンク・キャリア周波数の識別子を伝える停止要求メッセージを基地局に送信し（この識別子は、２次アップリンク・キャリア周波数の周波数値でもよく、又は、システムによって２次アップリンク・キャリア周波数のため割り当てられた一意の識別子でもよい）、そして、２次アップリンク・キャリア・サービング・セルを介するアップリンク・データの送信を終了することをＵＥに要求する。
【０１３７】
ＵＥがデュアルセル・アップリンク協調停止状態にある場合、ＵＥは、この時点で、１次キャリア・セルだけを介してアップリンク・データを送信する。１つの測定窓では、ＵＥのアップリンク・データの量が起動閾値を上回り、２次アップリンク・キャリア・サービング・セルの信号品質がアップリンク信号品質標準の品質標準を満たす場合、ＲＮＣは、起動要求メッセージを基地局へ送信する。起動要求メッセージは、選択された２次アップリンク・キャリア・サービング・セルが使用する２次アップリンク・キャリア周波数の識別子を伝える（この識別子は、２次アップリンク・キャリア周波数の周波数値でもよく、又は、システムによって２次アップリンク・キャリア周波数のため一意的に割り当てられた識別子でもよい）。起動要求メッセージは、ノードＢ・アプリケーション・パート（ＮＢＡＰ）メッセージでもよい。
【０１３８】
ステップ６０４では、基地局は、状態切り替え要求メッセージをＵＥへ転送する。
【０１３９】
このステップでは、基地局は、ステップ６０３で受信された起動要求メッセージ又は停止要求メッセージをＵＥへ転送する。起動要求メッセージ又は停止要求メッセージは、物理層チャネル上で伝送される。
【０１４０】
ステップ６０５では、ＵＥは、状態切り替えを実行する。
【０１４１】
このステップでは、状態切り替え要求メッセージを受信した後、ＵＥは、２次アップリンク・キャリア・サービング・セルに関して対応する状態切り替え操作を実行する。ＵＥが状態切り替えを実行する具体的なプロセスは、図２に示された実施形態に記載された通りであり、ここでは、詳細に記載されない。
【０１４２】
ＵＥが停止要求メッセージを受信した場合、ＵＥは、２次アップリンク・キャリア・サービング・セル上でのアップリンク・データの送信を終了し、例えば、２次キャリアＥ−ＤＣＨ上での送信を終了し、アップリンクＤＰＣＣＨ上での伝送を終了する。
【０１４３】
ＵＥが起動要求メッセージを受信した場合、ＵＥは、２次アップリンク・キャリア・サービング・セルが使用し、起動要求メッセージの中に含まれる２次アップリンク・キャリア周波数の識別子に従って、２次アップリンク・キャリア・サービング・セル上でのＥ−ＤＣＨの送信と、アップリンクＤＰＣＣＨ上での伝送を開始する。
【０１４４】
ステップ６０６では、ＵＥは、状態切り替え応答メッセージを基地局に送信する。
【０１４５】
このステップでは、ＵＥは、物理層メッセージを用いて基地局に状態切り替え応答メッセージを送信する。ＵＥが２次アップリンク・サービング・セルに関する起動操作を実行する場合、起動応答メッセージが送信される。ＵＥが２次アップリンク・サービング・セルに関する停止操作を実行する場合、停止応答メッセージが送信される。
【０１４６】
ステップ６０７では、ＲＮＣは、２次アップリンク・キャリア・サービング・セルの状態を２次キャリア・アクティブ集合の中のすべてのセルへ転送する。
【０１４７】
ＵＥが２次アップリンク・キャリア・サービング・セルを経由して基地局との接続を確立したとき、ＵＥは、実際には、２次キャリア・アクティブ集合の中のすべてのセルとの接続を確立し、２次キャリア・アクティブ集合の中のすべてのアップリンク・セルを介してアップリンク・データを送信する。しかし、基地局は、２次アップリンク・キャリア・サービング・セルを介して送信されたアップリンク・データだけを受信する。リンク検出は、２次キャリア・アクティブ集合の中のすべてのセルに関して実行され、具体的には、アップリンクＤＰＣＣＨを同期的に検出する。基地局がある一定のリンク同期の失敗を検出したとき、基地局は、リンク同期が失敗していることを示すために、無線リンク失敗をＲＮＣへ送信する。
【０１４８】
ＵＥが２次アップリンク・キャリア・サービング・セルを停止させるとき、２次キャリア・アクティブ集合の中のセルと接続されているアップリンクＤＰＣＣＨは、これ以上検出されない。ＵＥは、２次キャリア・アクティブ集合の中のセルから完全には切り離されないので、２次キャリア・アクティブ集合の中の２次アップリンク・サービング・セルを除く他のセルが起動操作を実行するため引き続いて選択されることがある。
【０１４９】
状態通知メッセージを受信した後、基地局は、状態通知メッセージを２次キャリア・アクティブ集合のすべての他のセルへ転送する。
【０１５０】
ＵＥが２次アップリンク・キャリア・サービング・セルに関する停止操作を実行した場合、２次キャリア・アクティブ集合の中のすべてのセルは、アップリンクＤＰＣＣＨの同期検出を終了する。ＵＥが２次アップリンク・キャリア・サービング・セルに関する起動操作を実行した場合、２次キャリア・アクティブ集合の中のすべてのセルは、ＤＰＣＣＨの同期検出を開始する。
【０１５１】
このステップは、ＵＥと２次キャリア・アクティブ集合の中のセルとの間のワイヤレスリンクが維持され、そして、リンク失敗によって引き起こされた無線リンク失敗がＲＮＣに報告されないことを確実にする。
【０１５２】
このステップは、随意的なステップである。２次アップリンク・キャリア・サービング・セルが停止させられ、ＲＮＣが２次アップリンク・キャリア・サービング・セルが停止させられたことを示す情報を２次キャリア・アクティブ集合の中の２次アップリンク・キャリア・サービング・セルを除く他のセルに通知しない場合、２次キャリア・アクティブ集合の中のセルは、リンク同期が失敗したことを検出したとき、無線リンク失敗をＲＮＣに報告する。しかし、ＲＮＣは、２次アップリンク・キャリア・サービング・セルの状態を知っているので、ＲＮＣは、受信した無線リンク失敗に応答することはない。すなわち、対応するリンクは削除されないので、ＵＥと２次キャリア・アクティブ集合の中のセルとの間のワイヤレスリンクは同様に維持される。
【０１５３】
なお、本発明の他の実施形態では、測定制御は、ＲＮＣを介して基地局へさらに送信されることがある。測定制御がＲＮＣを介して基地局へさらに送信されることがある実施プロセスは、ＵＥが本実施形態に記載された測定報告を報告するプロセスと類似し、ここでは、詳細に記載されない。
【０１５４】
本実施形態によるアップリンク・キャリア周波数を管理する方法では、ＲＮＣは、測定制御をＵＥに送信し、ＵＥは、２次アップリンク・キャリア・サービング・セルを起動する必要があるかどうかを判断するため測定結果を報告する。ＲＮＣは、測定結果に従って判断を実行する。ＲＮＣは、測定結果に従って、適当な２次アップリンク・キャリア・サービング・セルを選択し、デュアルセル・アップリンク協調が必要とされるときにセルに関する起動操作を実行することをＵＥに命令し、ＲＮＣは、２次アップリンク・キャリア・サービング・セルがデータを送信することを補助する必要がないとき、２次アップリンク・キャリア・サービング・セルに関する停止操作を実行する。このように、デュアルセル・アップリンク協調モードでは、ＵＥは、２次アップリンク・キャリア・サービング・セルを柔軟に管理するように命令され、マルチセルＨＳＵＰＡ協調がアップリンク・データを送信するため使用できないという問題が解決される。さらに、２次アップリンク・キャリア・サービング・セルの状態は、２次キャリア・アクティブ集合の中で２次アップリンク・キャリア・サービング・セルを除く他のセルに通知される。その結果、セル状態の同期が達成され、ＲＮＣによって処理されるデータの量は削減され、有効リンクが維持され、ネットワーク資源が節約される。
【０１５５】
本発明の第７の実施形態は、添付図面を参照して以下に記載される。
【０１５６】
マルチセルＨＳＵＰＡ協調がアップリンク・データを送信するため使用できないという問題を解決するため、図７に示されるように、本発明の実施形態によるアップリンク・キャリア周波数を管理する方法は、以下のステップを含む。
【０１５７】
ステップ７０１では、ＵＥは、状態切り替え決定指示を受信する。
【０１５８】
ＵＥが基地局を介してネットワークに加わるとき、ＲＮＣは、状態切り替え決定指示に従って測定及び判断を実行し、２次アップリンク・キャリア・サービング・セルの起動操作及び停止操作を実施することをＵＥに命令する状態切り替え決定指示をＵＥに送信する。本実施形態における２次アップリンク・キャリア・サービング・セルは、２次キャリアＥ−ＤＣＨセルである。
【０１５９】
本発明の実施形態では、状態切り替え決定指示は、具体的には、測定制御メッセージのことを指す。このステップでは、ＵＥは、測定制御を受信する。測定制御は、ＵＥアップリンク送信電力の測定量、２次キャリア・アップリンク・ワイヤレス信号品質の測定量、および、ＵＥによって送信されるべきアップリンク・データの量の測定量等の複数の測定対象を伝え、測定制御は、測定時間窓と、事象報告閾値と、報告周期とのようなパラメータをさらに含むことがある。測定制御中の測定対象は、互いに独立している。携帯電話機に送信されるべき測定対象の種類は、ネットワーク側によって判定される。測定制御の具体的な内容は、図２に示された実施形態で記載された通りであり、ここでは詳細に記載されない。
【０１６０】
ステップ７０２では、ＵＥは、測定報告をＲＮＣへ送信する。
【０１６１】
このステップでは、ＵＥは、ステップ７０１で受信された測定制御に従って測定を実行し、測定結果に基づいて測定報告を生成し、測定報告をＲＮＣへ送信する。
【０１６２】
ステップ７０３では、ＲＮＣは、状態切り替え決定を実行する。
【０１６３】
ＲＮＣは、起動又は停止が実行されるべきかどうかを判断する決定パラメータを記憶する。このステップでは、ステップ７０２で受信された測定報告に従って、ＲＮＣは、２次アップリンク・キャリア・サービング・セルを起動する必要があるかどうかを判定するため、測定結果を決定パラメータと比較する。
【０１６４】
ＵＥがデュアルセル・アップリンク協調起動状態にある場合、すなわち、ＵＥは、アップリンク・データを送信するため同時に１次キャリア・セル及び２次アップリンク・キャリア・サービング・セルを経由して基地局と接続されている。１つの測定窓では、１つの制御対象の測定値が停止閾値を満たす限り、例えば、２次アップリンク・キャリア・サービング・セルによって送信されたアップリンク・データの量が非常に少ないとき、又は、２次アップリンク・キャリア・サービング・セルの信号品質が悪く、アップリンク信号の品質標準を満たし得ないとき、ＲＮＣは、２次アップリンク・キャリア・サービング・セルが使用する２次アップリンク・キャリア周波数の識別子を伝える停止要求メッセージを基地局及びＵＥに送信し（この識別子は、２次アップリンク・キャリア周波数の周波数値でもよく、又は、システムによって２次アップリンク・キャリア周波数のため一意的に割り当てられた識別子でもよい）、そして、２次アップリンク・キャリア・サービング・セルを介するアップリンク・データの送信を終了することをＵＥに要求する。
【０１６５】
ＵＥがデュアルセル・アップリンク協調停止状態にある場合、ＵＥは、この時点で、１次キャリア・セルだけを介してアップリンク・データを送信する。１つの測定窓では、ＵＥのアップリンク・データの量が起動閾値を上回り、２次アップリンク・キャリア・サービング・セルの信号品質が信号品質標準を満たす場合、ＲＮＣは、起動要求メッセージを基地局及びＵＥへ送信する。起動要求メッセージは、選択された２次アップリンク・キャリア・サービング・セルが使用する２次アップリンク・キャリア周波数の識別子を伝える（この識別子は、２次アップリンク・キャリア周波数の周波数値でもよく、又は、システムによって２次アップリンク・キャリア周波数のため一意的に割り当てられた識別子でもよい）。起動要求メッセージは、物理層メッセージ又はＭＡＣ  ＰＤＵでもよい。
【０１６６】
ステップ７０４では、ＵＥは、状態切り替えを実行する。
【０１６７】
このステップでは、ＵＥは、ステップ７０３で受信された状態切り替え要求に従って２次アップリンク・キャリア・サービング・セルに関して対応する状態切り替え操作を実行する。
【０１６８】
ＵＥが停止要求メッセージを受信した場合、ＵＥは、２次アップリンク・キャリア・サービング・セル上でのアップリンク・データの送信を終了し、例えば、２次キャリアＥ−ＤＣＨ上での送信を終了し、アップリンクＤＰＣＣＨ上での伝送を終了する。
ＵＥが起動要求メッセージを受信した場合、起動要求メッセージの中で伝えられる２次アップリンク・キャリア周波数の識別子に従って、ＵＥは、２次アップリンク・キャリア・サービング・セル上でのＥ−ＤＣＨの送信と、アップリンクＤＰＣＣＨ上での伝送を開始する。
【０１６９】
ステップ７０５では、ＵＥは、状態切り替え応答をＲＮＣに送信する。
【０１７０】
なお、本実施形態では、測定制御は、ＲＮＣを介して基地局に送信されることもある。測定制御がＲＮＣを介して基地局に送信されることもある実施プロセスは、携帯電話機が本実施形態に記載された測定報告を報告するプロセスと類似し、ここでは、詳細に記載されない。
【０１７１】
本実施形態によるアップリンク・キャリア周波数を管理する方法では、ＲＮＣは、測定制御をＵＥに送信し、ＵＥは、２次アップリンク・キャリア・サービング・セルを起動すべきかどうかを判断するため必要とされる測定結果を報告する。ＲＮＣは、測定結果に従って判断を実行する。ＲＮＣは、測定結果に従って、適当な２次アップリンク・キャリア・サービング・セルを選択し、デュアルセル・アップリンク協調が必要とされるとき、セルに関する起動操作を実行することをＵＥに命令し、ＲＮＣは、２次アップリンク・キャリア・サービング・セルがデータを送信することを補助する必要がないとき、２次アップリンク・キャリア・サービング・セルに関する停止操作を実行する。このように、デュアルセル・アップリンク協調モードでは、ＵＥは、２次アップリンク・キャリア・サービング・セルを柔軟に管理するように命令され、マルチセルＨＳＵＰＡ協調がアップリンク・データを送信するため使用できないという問題が解決される。さらに、２次アップリンク・キャリア・サービング・セルの状態は、２次キャリア・アクティブ集合の中で２次アップリンク・キャリア・サービング・セルを除く他のセルに通知される。その結果、セル状態の同期が達成され、ＲＮＣによって処理されるデータの量は削減され、有効リンクが維持され、ネットワーク資源が節約される。
【０１７２】
本発明の第８の実施形態は、添付図面を参照して以下に記載される。
【０１７３】
図８に示されるように、本発明の実施形態によるアップリンク・キャリア周波数を管理する方法は、以下のステップを含む。
【０１７４】
ステップ８０１では、基地局は、測定報告をＲＮへ送信する。
【０１７５】
このステップでは、基地局は、測定報告をＲＮＣへ送信する。測定報告は、ＮＢＡＰメッセージ、又は、フレーム・プロトコル（ＦＰ）フレームを介してＲＮＣへ送信されてもよい。測定報告は、ＵＥアップリンク送信電力の測定量、アップリンク・ワイヤレス信号品質の測定量、アップリンク・キャリア負荷の測定量、ＵＥアップリンク・データのバッファ状態、および送信されるべきデータの量等の情報を含むことができる。
【０１７６】
ステップ８０２では、ＲＮＣは、状態切り替え決定を実行する。
【０１７７】
本実施形態では、ＲＮＣは、起動又は停止が実行されるべきかどうかを判断する決定パラメータを記憶する。ステップ８０１で受信された測定報告に従って、ＲＮＣは、２次アップリンク・キャリア・サービング・セルを起動又は停止させる必要があるかどうかを判定するため、測定結果を決定パラメータと比較し、判断結果に従って状態切り替え要求メッセージを基地局へ送信する。
【０１７８】
ＵＥがデュアルセル・アップリンク協調起動状態にある場合、すなわち、ＵＥは、アップリンク・データを送信するため同時に１次キャリア・セル及び２次アップリンク・キャリア・サービング・セルを経由して基地局と接続されている。１つの測定窓では、１つの制御対象の測定値が停止閾値を満たす限り、例えば、アップリンク・データの量が非常に少ないとき、又は、２次アップリンク・キャリア・サービング・セルの信号品質が悪く、アップリンク信号の品質標準を満たし得ないとき、ＲＮＣは、停止要求メッセージをＵＥの２次キャリア・アクティブ集合の中のすべての基地局に送信し、そして、２次アップリンク・キャリア・サービング・セルを介するアップリンク・データの送信を終了することをＵＥに要求する。
【０１７９】
ＵＥがデュアルセル・アップリンク協調停止状態にある場合、ＵＥは、この時点で、１次キャリア・セルだけを介してアップリンク・データを送信する。１つの測定窓では、ＵＥのアップリンク・データの量が起動閾値を上回り、２次アップリンク・キャリア・サービング・セルの信号品質がキャリア負荷標準（例えば、信号品質がアップリンク信号の品質標準）を満たす場合、ＲＮＣは、起動要求メッセージを基地局へ送信する。起動要求メッセージは、ＮＢＡＰメッセージでもよく、又は、ＦＰフレームでもよい。
【０１８０】
停止要求メッセージを受信した後、２次キャリア・アクティブ集合の中の２次アップリンク・キャリア・非サービング・セルは、アップリンクＤＰＣＣＨの検出とデータの受信とを同時に終了する。停止要求メッセージは、ＮＢＡＰメッセージでもよく、又は、ＦＰフレームでもよい。
【０１８１】
ＲＮＣが停止要求メッセージを２次キャリア・アクティブ集合の中の非サービング・セルに送信するステップは、随意的なステップである。２次アップリンク・キャリア・サービング・セルが停止させられ、ＲＮＣが２次アップリンク・キャリア・サービング・セルが停止させられたことを示す情報を２次キャリア・アクティブ集合の中の２次アップリンク・キャリア・サービング・セルを除く他のセルに通知しない場合、２次キャリア・アクティブ集合の中のセルは、リンク同期が失敗したことを検出したときに無線リンク失敗をＲＮＣへ報告する。しかし、ＲＮＣは、２次アップリンク・キャリア・サービング・セルの状態を知っているので、ＲＮＣは、受信された無線リンク失敗に応答することがなく、すなわち、対応するリンクは削除されないので、ＵＥと２次キャリア・アクティブ集合の中のセルとの間のワイヤレスリンクは同様に維持される。
【０１８２】
ステップ８０３では、基地局は、状態切り替え要求メッセージをＵＥに転送する。
【０１８３】
このステップでは、基地局は、ステップ８０２で受信された起動要求メッセージ又は停止要求メッセージをＵＥへ転送する。起動要求メッセージ又は停止要求メッセージは、高速共有制御チャネル（ＨＳ−ＳＣＣＨ）のような物理層チャネル上で伝送される。
【０１８４】
ステップ８０４では、ＵＥは状態切り替えを実行する。
【０１８５】
このステップでは、ステップ８０３で受信された状態切り替え要求に従って、ＵＥは、２次アップリンク・キャリア・サービング・セルに関して対応する状態切り替え操作を実行する。
【０１８６】
ＵＥが停止要求メッセージを受信した場合、ＵＥは、２次アップリンク・キャリア・サービング・セル上でのアップリンク・データの送信を終了し、例えば、２次キャリアＥ−ＤＣＨ上での送信を終了し、アップリンクＤＰＣＣＨ上での伝送を終了する。
【０１８７】
ＵＥが起動要求メッセージを受信した場合、ＵＥは、２次アップリンク・キャリア・サービング・セル上でのＥ−ＤＣＨの送信と、アップリンクＤＰＣＣＨ上での伝送を開始する。
【０１８８】
ステップ８０５では、ＵＥは、状態切り替え応答メッセージを基地局に送信する。
【０１８９】
このステップでは、ＵＥは、基地局によって送信された状態切り替えメッセージに従って対応する操作が実行されることを示す物理層メッセージを用いて状態切り替え応答メッセージを基地局に送信する。
【０１９０】
付加的に、ＲＮＣがステップ８０２において状態切り替え決定を実行するときに１次キャリア・セルが停止条件を満たすこと（例えば、信号品質が正常な通信の要件を満たし得ないこと）を検出した場合、ＲＮＣは、再構成決定を行い、ＵＥのための１次キャリア・セル及び２次アップリンク・キャリア・サービング・セルを再構成するか、又は、代替的に、デュアルセル協調状態からシングル・キャリア・モードへＵＥを切り替える。
【０１９１】
ステップ８０４及び８０５における具体的な操作の順序は限定されることがなく、２つのステップが同時に実行されることがある。同様に、切り替えが最初に実行されることがあり、応答は、切り替えが完了した後に送信される。代替的に、状態切り替えメッセージが受信されると応答が返送され、その後に、切り替えが実行される。順序は、本発明において限定されることがない。
【０１９２】
本実施形態によるアップリンク・キャリア周波数を管理する方法において、測定制御はＵＥへ送信される。ＲＮＣは、基地局によって送信された測定報告と、ＵＥによって使用される２次アップリンク・キャリア・サービング・セルの情報とに従って、状態切り替えを実行することが必要であるかどうかを判断する。ＲＮＣは、測定結果に従って、適当な２次アップリンク・キャリア・サービング・セルを選択し、デュアルセル・アップリンク協調が必要とされるとき、セルに関する起動操作を実行することをＵＥに命令し、ＲＮＣは、２次アップリンク・キャリア・サービング・セルがデータを送信することを補助する必要がないとき、２次アップリンク・キャリア・サービング・セルに関する停止操作を実行する。このように、デュアルセル・アップリンク協調モードでは、ＵＥは、２次アップリンク・キャリア・サービング・セルを柔軟に管理するように命令される。本実施形態では、さらに、２次アップリンク・キャリア・サービング・セルの状態が２次キャリア・アクティブ集合の中で２次アップリンク・キャリア・サービング・セルを除く他のセルに通知される。その結果、セル状態の同期が達成され、ＲＮＣによって処理されるデータの量は削減され、有効リンクが維持され、ネットワーク資源が節約される。本実施形態では、１次キャリア・セルが停止条件を満たすとき、再構成操作がＵＥに関して実行され、新しい１次キャリア・セル及び新しい２次アップリンク・キャリア・サービング・セルが指定される。このように情報送信品質は、さらに改善される。
【０１９３】
本発明の第９の実施形態は、添付図面を参照して以下に記載される。
【０１９４】
図９に示されるように、本実施形態によるアップリンク・キャリア周波数を管理する方法は、以下のステップを含む。
【０１９５】
ステップ９０１では、基地局は、状態切り替え決定を実行する。
【０１９６】
このステップでは、基地局は、ＵＥによって送信された測定報告と、基地局に関するセルレベル・アップリンク負荷情報のような決定情報とに従って、状態切り替えを実行することが必要であるかどうかを判断することがある。決定情報は、ＵＥアップリンク送信電力の測定量、アップリンク・ワイヤレス信号品質の測定量、アップリンク・キャリア負荷の測定量、ＵＥアップリンク・データのバッファ状態、又は、送信されるべきデータの量のような情報を含むことがある。
【０１９７】
本実施形態では、基地局は、起動又は停止が実行されるべきかどうかを判断するため必要とされる決定パラメータを記憶する。基地局は、２次アップリンク・キャリア・サービング・セルを起動させる必要があるかどうかを判定するため、測定報告で伝えられる測定結果、及び、基地局に関するセルレベル・アップリンク負荷情報を決定パラメータと比較し、判断結果に従って状態切り替え要求メッセージをＲＮＣへ送信する。基地局が状態切り替え決定を実行する具体的なプロセスは、図２に示された実施形態に記載された通りであり、ここでは、詳細に記載されない。
【０１９８】
基地局が２次キャリア・サービング・セルに関する停止操作を実行することを決定した場合、停止要求メッセージがＲＮＣへ送信され、状態切り替え決定を実行することをＲＮＣに要求し、２次アップリンク・キャリア・サービング・セルを介したアップリンク・データの送信を終了することをＵＥに要求する。
【０１９９】
基地局が２次キャリア・サービング・セルに関する起動操作を実行することが必要であると決定した場合、停止要求メッセージがＲＮＣへ送信され、状態切り替え決定を実行することをＲＮＣに要求する。
【０２００】
起動要求メッセージ及び停止要求メッセージは、ＮＢＡＰメッセージ又はＦＰフレームでもよい。
【０２０１】
ステップ９０２では、ＲＮＣは、状態切り替え決定を実行する。
【０２０２】
このステップでは、ステップ９０１で基地局によって送信された状態切り替え要求メッセージを受信した後、ＲＮＣは、アクティブ集合情報のような現在のＲＮＣに関するＵＥの関連情報と、セル・アップリンク負荷情報とに従って、状態切り替え決定を実行する。ＲＮＣは、基地局によって送信された受信済みの状態切り替え要求メッセージと、ＵＥのアクティブ集合情報とに従って、状態切り替え決定を実行することがある。ＲＮＣは、起動要求メッセージ又は停止要求メッセージの形で決定結果をサービング基地局又はＵＥの２次キャリア・アクティブ集合の中のすべてのセルへ送信し、具体的なプロセスは、本発明の第８の実施形態におけるステップ８０２に記載された通りである。
【０２０３】
本発明の実施形態のステップ９０３〜９０５は、本発明の第８の実施形態におけるステップ８０３〜８０５と基本的に同じであり、ここでは、詳細に記載されない。
【０２０４】
付加的に、ＲＮＣがステップ９０２において状態切り替え決定を実行するときに１次キャリア・セルが停止条件を満たすことを検出した場合、ＲＮＣは、再構成決定を行い、ＵＥのための１次キャリア・セル及び２次アップリンク・キャリア・サービング・セルを再構成するか、又は、代替的に、デュアルセル協調状態からシングル・キャリア・モードへＵＥを切り替える。
【０２０５】
本実施形態によるアップリンク・キャリア周波数を管理する方法において、基地局は、状態切り替え決定を促す。ＲＮＣは、基地局によって送信された状態切り替え要求メッセージと、ＵＥのアクティブ集合情報とに従って、状態切り替えを実行する必要があるかどうかを判断する。ＲＮＣは、測定結果に従って、適当な２次アップリンク・キャリア・サービング・セルを選択し、デュアルセル・アップリンク協調が必要とされるとき、セルに関する起動操作を実行することをＵＥに命令し、ＲＮＣは、２次アップリンク・キャリア・サービング・セルがデータを送信することを補助する必要がないとき、２次アップリンク・キャリア・サービング・セルに関する停止操作を実行する。このように、デュアルセル・アップリンク協調モードでは、ＵＥは、２次アップリンク・キャリア・サービング・セルを柔軟に管理するように命令される。本実施形態では、１次キャリア・セルが停止条件を満たすとき、再構成操作がＵＥに関してさらに実行され、新しい１次キャリア・セル及び新しい２次アップリンク・キャリア・サービング・セルが指定される。結果として、情報送信品質は、さらに改善される。
【０２０６】
本発明の第１０の実施形態は、添付図面を参照して以下に詳細に記載される。
【０２０７】
図１０に示されるように、本実施形態によるアップリンク・キャリア周波数を管理する方法は、以下のステップを含む。
【０２０８】
ステップ１００１では、基地局は、状態切り替え決定を実行する。
【０２０９】
このステップでは、基地局は、ＵＥによって送信された、１次キャリア・セル及び２次キャリア・セルのスケジューリング情報、現在セル負荷、および信号品質等の状態切り替え決定を実行するための情報を含む測定報告に従って、状態切り替えを実行する。
【０２１０】
基地局が２次キャリア・サービング・セルに関する停止操作を実行することが必要であると判断した場合、停止要求メッセージがＵＥに送信される。基地局が２次キャリア・サービング・セルに関する起動操作を実行することが必要であると判断した場合、起動要求メッセージがＵＥに送信される。
【０２１１】
起動要求メッセージ及び停止要求メッセージは、ＨＳ−ＳＣＣＨチャネルのような物理チャネルで伝送されることがある。
【０２１２】
本発明の実施形態のステップ１００２〜１００３は、本発明の第８の実施形態におけるステップ８０４〜８０５と基本的に同じであり、ここでは、詳細に記載されない。
【０２１３】
起動操作が以上のプロセスにおいて２次キャリア・サービング・セルに関して実行される場合、２次キャリア・サービング・セルが起動状態であることを示す情報をＲＮＣと２次キャリア・アクティブ集合の中の他のセルへ通知することが必要である。詳細なステップは以下の通りである。
【０２１４】
ステップ１００４において、基地局は、状態切り替え応答メッセージをＲＮＣに転送する。
【０２１５】
このステップでは、基地局は、ＵＥの現在動作状態をＲＮＣに通知するため、ＵＥによって送信され、ステップ１００３で受信された状態切り替え応答メッセージをＲＮＣに転送する。
【０２１６】
基地局は、ＮＢＡＰ（ノードＢ・アプリケーション・パート）メッセージ又はＦＰ（フレーム・プロトコル）フレームを用いて状態切り替え応答メッセージをＲＮＣへ送信することがある。
【０２１７】
ステップ１００５では、ＲＮＣは、状態通知メッセージを２次キャリア・アクティブ集合の中の２次アップリンク・キャリア・非サービング・セルに転送する。
【０２１８】
このステップは、随意的なステップである。２次アップリンク・キャリア・セルが停止させられた場合、ＲＮＣは、状態通知メッセージをＵＥの２次キャリア・アクティブ集合の中の２次アップリンク・キャリア・非サービング・セルへ送信する。状態通知メッセージは、ＮＢＡＰ（ノードＢ・アプリケーション・パート）メッセージでもよく、又は、ＦＰ（フレーム・プロトコル）フレームでもよい。
【０２１９】
状態切り替え応答メッセージが停止応答メッセージである場合、２次キャリア・アクティブ集合の中の２次アップリンク・キャリア・非サービング・セルは、停止応答メッセージを受信した後に、アップリンクＤＰＣＣＨの同期検出を終了し、データの受信を終了する。
【０２２０】
付加的に、２次アップリンク・キャリア・サービング・セルが停止させられ、ＲＮＣが２次アップリンク・キャリア・サービング・セルが停止させられたことを示す情報を２次キャリア・アクティブ集合の中の２次アップリンク・キャリア・サービング・セルを除く他のセルに通知しない場合、２次キャリア・アクティブ集合の中のセルは、リンク同期が失敗したことを検出したときに無線リンク失敗をＲＮＣに報告する。しかし、ＲＮＣは、２次アップリンク・キャリア・サービング・セルの状態を知っているので、受信された無線リンク失敗に対する応答は行われない。すなわち、対応するリンクは削除されないので、ＵＥと２次キャリア・アクティブ集合のセルとの間のワイヤレスリンクは同様に維持される。
【０２２１】
本実施形態によるアップリンク・キャリア周波数を管理する方法において、基地局は、ＵＥによって送信された測定報告に従って、２次アップリンク・キャリア・サービング・セルを起動する必要があるかどうかを判断する。基地局は、測定結果に従って、適当な２次アップリンク・キャリア・サービング・セルを選択し、デュアルセル・アップリンク協調が必要とされるとき、セルに関する起動操作を実行することをＵＥに命令し、基地局は、２次アップリンク・キャリア・サービング・セルがデータを送信することを補助する必要がないとき、２次アップリンク・キャリア・サービング・セルに関する停止操作を実行する。このように、デュアルセル・アップリンク協調モードでは、ＵＥは、２次アップリンク・キャリア・サービング・セルを柔軟に管理するように命令される。本実施形態では、２次アップリンク・キャリア・サービング・セルの状態は、２次キャリア・アクティブ集合の中の２次アップリンク・キャリア・サービング・セルを除く他のセルに通知される。その結果、セル状態の同期が達成され、ＲＮＣによって処理されるデータの量が削減され、有効なリンクが維持され、ネットワーク資源が節約される。
【０２２２】
図１１は、本発明の実施形態によるＵＥの内部構造の概略図である。図１１に示されるように、ＵＥは、指示獲得モジュール１１０１と、切り替えモジュール１１０２と、要求送信モジュール１１０３とを含む。
【０２２３】
指示獲得モジュール１１０１は、２次アップリンク・キャリア周波数の状態切り替え決定指示を獲得するため構成されている。
【０２２４】
切り替えモジュール１１０２は、状態切り替え決定指示に従って、少なくとも１つの２次アップリンク・キャリア・サービング・セルに関する状態切り替えを実行するため構成されている。
【０２２５】
要求送信モジュール１１０３は、状態切り替え要求メッセージを基地局へ送信するため構成されている。状態切り替え要求メッセージは、起動要求メッセージ又は停止要求メッセージを含む。状態切り替え要求メッセージは、高速共有制御チャネル（ＨＳ−ＳＣＣＨ）、又は、拡張専用チャネル絶対許可チャネル（Ｅ−ＡＧＣＨ）、又は、拡張専用チャネル相対許可チャネル（Ｅ−ＲＧＣＨ）を具体的に指す物理層情報である。
【０２２６】
さらに、図１２は、切り替えモジュール１００２の概略図であり、切り替えモジュール１００２は以下を含む。
【０２２７】
アップリンク・データ量情報獲得ユニット１１０２１は、ＵＥのアップリンク・データの量を獲得するため構成されている。
【０２２８】
信号品質情報獲得ユニット１１０２２は、２次アップリンク・キャリア・サービング・セルの現在信号品質を獲得するため構成されている。
【０２２９】
状態切り替え実行ユニット１１０２３は、状態切り替えが少なくとも１個の２次アップリンク・キャリア・サービング・セルに関して実行されるかどうかを判断するため構成されている。
【０２３０】
具体的には、アップリンク・データの量が起動閾値を上回り、２次アップリンク・キャリア・サービング・セルの現在信号品質がアップリンク信号品質標準を満たす場合、状態切り替え実行ユニット１１０２３は、２次アップリンク・キャリア・サービング・セルの状態を起動状態に切り替えるため構成されている。アップリンク・データの量が停止閾値より低い場合、状態切り替え実行ユニット１１０２３は、２次アップリンク・キャリア・サービング・セルの状態を停止状態に切り替えるため構成され、或いは、２次アップリンク・キャリア・サービング・セルの現在信号品質がアップリンク信号品質標準に到達できない場合、状態切り替え実行ユニット１１０２３は、２次アップリンク・キャリア・サービング・セルの状態を停止状態に切り替えるため構成されている。
【０２３１】
図１３は、本発明の実施形態による基地局の概略図である。図１３に示されるように、基地局は以下を含む。
【０２３２】
指示獲得モジュール１３０１は、２次アップリンク・キャリア周波数の状態切り替え決定指示を獲得するため構成されている。
【０２３３】
切り替えモジュール１３０２は、状態切り替え決定指示に従って、少なくとも１つの２次アップリンク・キャリア・サービング・セルに関する状態切り替えを実行するため構成されている。
【０２３４】
要求送信モジュール１３０３は、状態切り替え要求メッセージをＵＥに送信するため構成され、状態切り替え要求メッセージは、起動要求メッセージ又は停止要求メッセージを含み、そして、状態切り替え要求メッセージは、ＨＳ−ＳＣＣＨ、又は、Ｅ−ＡＧＣＨ、又は、Ｅ−ＲＧＣＨを具体的に指す物理層情報である。
【０２３５】
さらに、図１４は、切り替えモジュール１３０２の内部構造の概略図であり、切り替えモジュール１３０２は、アップリンク・データ量情報獲得ユニット１３０２１と、信号品質情報獲得ユニット１３０２２と、状態切り替え実行ユニット１３０２３とを含む。
【０２３６】
アップリンク・データ量獲得ユニット１３０２１は、ＵＥのアップリンク・データの量を獲得するため構成されている。
【０２３７】
信号品質情報獲得ユニット１３０２２は、２次アップリンク・キャリア周波数で動作するサービング・セルの現在信号品質を獲得するため構成されている。
【０２３８】
状態切り替え実行ユニット１３０２３は、状態切り替えが少なくとも１個の２次アップリンク・キャリア・サービング・セルに関して実行されるかどうかを判断するため構成されている。
【０２３９】
具体的には、アップリンク・データの量が起動閾値を上回り、２次アップリンク・キャリア・サービング・セルの現在信号品質がアップリンク信号品質標準を満たす場合、状態切り替え実行ユニット１３０２３は、２次アップリンク・キャリア・サービング・セルの状態を起動状態に切り替えるため構成されている。アップリンク・データの量が停止閾値を下回る場合、状態切り替え実行ユニット１３０２３は、２次アップリンク・キャリア・サービング・セルの状態を停止状態に切り替えるため構成されるか、又は、２次アップリンク・キャリア・サービング・セルの現在信号品質がアップリンク信号品質標準に到達できない場合、状態切り替え実行ユニット１３０２３は、２次アップリンク・キャリア・サービング・セルの状態を停止状態に切り替えるため構成されている。
【０２４０】
図１５は、本発明の実施形態によるＲＮＣの概略図である。図１５に示されるように、ＲＮＣは、指示送信モジュール１５０１と、状態獲得モジュール１５０２とを含む。
【０２４１】
指示送信モジュール１５０１は、２次アップリンク・キャリア・サービング・セルの状態切り替え決定指示を送信するため構成されている。
【０２４２】
状態獲得モジュール１５０２は、少なくとも１個の２次アップリンク・キャリア・サービング・セルが、状態切り替え決定指示に従って、状態切り替えを完了した後、少なくとも１個の２次アップリンク・キャリア・サービング・セルの状態を獲得するため構成されている。
【０２４３】
さらに、図１６に示されるように、ＲＮＣは、状態同期化モジュール１５０３をさらに含む。
【０２４４】
状態同期化モジュール１５０３は、状態獲得モジュールが少なくとも１つの２次アップリンク・キャリア・サービング・セルの状態を獲得した後、２次アップリンク・キャリア・サービング・セルの状態を２次キャリア・アクティブ集合の中の２次アップリンク・キャリア・サービング・セルを除くすべての他のセルに通知するか、又は、２次アップリンク・キャリア・サービング・セルの状態を２次キャリア・アクティブ集合の中のすべてのセルに通知するため構成されている。
【０２４５】
図１７は、本発明の実施形態によるアップリンク・キャリア周波数を管理するシステムの概略図である。図１７に示されるように、システムは、ＵＥ１７０１と、基地局１７０２と、ＲＮＣ１７０３とを含む。
【０２４６】
ＵＥ１７０１は、ＲＮＣ１７０３によって送信された２次アップリンク・キャリア・サービング・セルの状態切り替え決定指示を受信し、状態切り替え決定指示に従って、少なくとも１個の２次アップリンク・キャリア・サービング・セルに関して状態切り替えを実行し、そして、少なくとも１個の２次アップリンク・キャリア・サービング・セルの状態を基地局１７０２に通知するため構成されている。
【０２４７】
ＲＮＣ１７０３は、２次アップリンク・キャリア・サービング・セルの状態切り替え決定指示をＵＥ１７０１へ送信する。そして、ＵＥ１７０１が少なくとも１個の２次アップリンク・キャリア・サービング・セルの状態切り替えを完了した後に、少なくとも１個の２次アップリンク・キャリア・サービング・セルの状態を獲得するため構成されている。
【０２４８】
基地局１７０２は、ＵＥ１７０１が状態切り替え決定指示に従って少なくとも１個の２次アップリンク・キャリア・サービング・セルに関する状態切り替えを実行した後、ＵＥ１７０１によって送信された少なくとも１個の２次アップリンク・キャリア・サービング・セルの状態を受信するため構成されている。
【０２４９】
図１８は、本発明の実施形態によるアップリンク・キャリア周波数を管理するシステムの概略図である。図１８に示されるように、システムは、ＵＥ１８０１と、基地局１８０２と、ＲＮＣ１８０３とを含む。
【０２５０】
基地局１８０２は、ＲＮＣ１８０３によって送信された状態切り替え決定指示を受信し、状態切り替え決定指示に従って、少なくとも１個の２次アップリンク・キャリア・サービング・セルに関して状態切り替えを実行し、そして、少なくとも１個の２次アップリンク・キャリア・サービング・セルの状態をＵＥ１８０１に通知するため構成されている。
【０２５１】
ＲＮＣ１８０３は、２次アップリンク・キャリア・サービング・セルの状態切り替え決定指示を基地局１８０２へ送信する。そして、基地局１８０２が少なくとも１個の２次アップリンク・キャリア・サービング・セルの状態切り替えを完了した後に、少なくとも１個の２次アップリンク・キャリア・サービング・セルの状態を獲得するため構成されている。
【０２５２】
ＵＥ１８０１は、基地局１８０２が状態切り替え決定指示に従って少なくとも１個の２次アップリンク・キャリア・サービング・セルに関する状態切り替えを実行した後、基地局１８０２によって送信された少なくとも１個の２次アップリンク・キャリア・サービング・セルの状態を受信するため構成されている。
【０２５３】
図１９は、本発明の実施形態によるアップリンク・キャリア周波数を管理するシステムの概略図である。図１９に示されるように、システムは、ＵＥ１９０１と、基地局１９０２と、ＲＮＣ１９０３とを含む。
【０２５４】
ＲＮＣ１９０３は、少なくとも１個の２次アップリンク・キャリア・サービング・セルの状態切り替えを開始し、少なくとも１個の２次アップリンク・キャリア・サービング・セルの状態切り替え要求メッセージを具体的に指す状態切り替え決定指示をＵＥ１９０１又は基地局１９０２へ送信するため構成されている。
【０２５５】
ＵＥ１９０１は、ＲＮＣ１９０３によって送信された少なくとも１個の２次アップリンク・キャリア・サービング・セルの状態切り替え決定指示を受信し、少なくとも１個の２次アップリンク・キャリア・サービング・セルに関して状態切り替えを実行するため構成されている。
【０２５６】
基地局１９０２は、ＲＮＣ１９０３によって送信された少なくとも１個の２次アップリンク・キャリア・サービング・セルの状態切り替え決定指示を受信し、少なくとも１個の２次アップリンク・キャリア・サービング・セルに関して状態切り替えを実行するため構成されている。
【０２５７】
ＵＥと、基地局と、ＲＮＣと、アップリンク・キャリア周波数を管理するシステムとは、本発明の実施形態によって提供されるアップリンク・キャリア周波数を管理する方法と組み合わされることがあるので、２次アップリンク・キャリア・サービング・セル状態切り替え管理は、状態切り替え決定指示を通じて起動され、２次アップリンク・キャリア・サービング・セルの状態切り替えは、状態切り替え決定指示に従って完了され、２次アップリンク・キャリア・サービング・セルの状態は、通信反対端へ通知される。よって、データ・アップリンク方向でマルチセル協調を実施する動作メカニズムが提供され、マルチセルＨＳＵＰＡ協調がアップリンク・データを送信するため使用できないという問題が解決される。
【０２５８】
当業者は、本発明の実施形態による方法のステップの全部又は一部が関連したハードウェアに命令するプログラムによって実施されてもよいことを理解するはずである。プログラムは、コンピュータ読み取り可能な記憶媒体に記憶されることがあり、そして、プログラムは、本発明の実施形態による方法のステップのうちの１つ又は組み合わせを用いて動かされる。
【０２５９】
さらに、本発明の各実施形態における機能ユニットは、１つの処理モジュールの中に統合されることがあり、又は、各ユニットは、別々に存在し、又は、２つ以上のユニットが１つの処理モジュールの中に統合される。統合されたモジュールは、ハードウェア又はソフトウェア機能モジュールの形式で具現化されることがある。統合されたモジュールがソフトウェア機能モジュールの形式で具現化され、別個の製品として販売又は使用される場合、統合されたモジュールがコンピュータ読み取り可能な記憶媒体の中に記憶される。
【０２６０】
記憶媒体は、読み取り専用メモリ（ＲＯＭ）、磁気ディスク、又は、コンパクトディスク読み取り専用メモリ（ＣＤ−ＲＯＭ）でもよい。
【０２６１】
上記の説明は、本発明の単なる典型的な実施形態であるが、本発明の保護範囲を限定することは意図されていない。変更、等価的な置換、又は、改良などについても本発明の保護範囲に含まれることが意図されている。したがって、本発明の保護範囲は、特許請求の範囲の対象になる。
【図１】
0005205520.tif 000002
【図２】
0005205520.tif 000003
【図３】
0005205520.tif 000004
【図４】
0005205520.tif 000005
【図５】
0005205520.tif 000006
【図６】
0005205520.tif 000007
【図７】
0005205520.tif 000008
【図８】
0005205520.tif 000009
【図９】
0005205520.tif 000010
【図１０】
0005205520.tif 000011
【図１１】
0005205520.tif 000012
【図１２】
0005205520.tif 000013
【図１３】
0005205520.tif 000014
【図１４】
0005205520.tif 000015
【図１５】
0005205520.tif 000016
【図１６】
0005205520.tif 000017
【図１７】
0005205520.tif 000018
【図１８】
0005205520.tif 000019
【図１９】
0005205520.tif 000020